(57)【要約】本発明は、少なくとも二つの異なる構造形態を有する表面および表面の組み合わせを説明している。これらの構造形態は、方向性および非方向性を持つ構造を任意に組み合わせることにより構成でき、それらの主な構成の寸法はμｍの範囲である。その表面構造の組み合わせによって、各構造の効果を改善することも、新しい課題を遂行することもできる。
2005537034.tif 000002
【特許請求の範囲】
【請求項１】
異なる媒体に接触する複数の表面を備えた本体であって、
第一表面が、μｍ及び／またはｎｍの範囲の第一表面構造を備え、前記第一表面に接触する第一媒体に、前記第一表面構造を適合させ、
・第二表面が、μｍ及び／またはｎｍの範囲の第二表面構造を備え、前記第二表面に接触する第二媒体に、前記第二表面構造を適合させた本体。
【請求項２】
方向を制御した表面構造を第一表面構造に形成した請求項１記載の本体。
【請求項３】
方向を制御した表面構造が、リブ状の凸部および凹部を有し、
・基本的に互いに平行に前記凸部を配置し、
・基本的に互いに平行に凹部を配置した請求項２記載の本体。
【請求項４】
第一表面構造が、鱗状の凸部を有する請求項１から３のいずれか一項に記載の本体。
【請求項５】
凸部の表面の少なくとも一部及び／または凹部の表面の少なくとも一部が疎水性である請求項３または４記載の本体。
【請求項６】
非方向に制御された表面構造として、第二表面構造を形成することで、前記第二表面構造が、第二表面に対して自浄機能を提供する請求項１から５のいずれか一項に記載の本体。
【請求項７】
非方向に制御された表面構造が、節状の凸部を有する請求項６記載の本体。
【請求項８】
第二表面構造の少なくとも一部が、疎水性または超塑水性である請求項６または７のいずれか一項に記載の本体。
【請求項９】
第一表面が、第一表面領域と少なくとも一つの別の表面領域を有し、
・前記第一表面領域が第一表面構造を有し、
・前記別の表面領域がμｍの範囲の方向性を制御した別の表面構造を有し、
・前記第一表面構造の方向に対して所定の角度で、前記別の表面構造の方向を配置した請求項２から８のいずれか一項に記載の本体。
【請求項１０】
第一の表面構造及び／または第二の表面構造が異なる寸法の構造を有する請求項１から９のいずれか一項に記載の本体。
【請求項１１】
第一表面構造及び／または第二表面構造が、柔軟な凸部を有する請求項１から１０のいずれか一項に記載の本体。
【請求項１２】
第二表面構造より寸法が大きな表面構造を第二表面が別に有する請求項１から１０のいずれか一項に記載の本体。
【請求項１３】
第二表面の別の表面構造がｎｍの範囲の寸法を有する請求項１２記載の本体。
【請求項１４】
方向性を制御した表面構造として、第二表面の別の表面構造を形成した請求項１２または１３記載の本体。
【請求項１５】
第一表面構造の寸法が、約１０ｍ〜約１ｍｍの間である請求項１から１４のいずれか一項に記載の本体。
【請求項１６】
第二表面構造の寸法が、約０．５ｍ〜約１ｍｍの間である請求項１から１５のいずれか一項に記載の本体。
【請求項１７】
第二表面構造を第二媒体に適合させ、前記第二媒体が第一媒体とは異なる媒体である請求項１から１６のいずれか一項に記載の本体。
【請求項１８】
第一表面と第二表面が、組み合わせられた表面を構成し、第一表面構造と第二表面構造を配置した請求項１から１７のいずれか一項に記載の本体。
【請求項１９】
次の器具のいずれか一つとして構成した請求項１から１８のいずれか一項に記載の本体。
・滑走部材キャリア、
・滑走部材ボックス、
・車両自転車キャリア、
・車両荷物キャリア、
・スポーツ器具、特にボール打撃器具及び／またはボール。
【請求項２０】
滑走部材として構成した請求項１から１８のいずれか一項に記載の本体。
【請求項２１】
滑走部材に少なくとも別の一つの器具を取り付けて、（別の一つの器具が）その表面に、少なくとも部分的に第二表面構図を有する請求項２０記載の本体。
【請求項２２】
別の器具が、次に器具の一つである請求項２１記載の本体。
・滑走部材ブレーキ、
・滑走部材ビンディング、
・滑走部材ビンディング上昇板、または
・滑走部材シューズ。
【発明の詳細な説明】
【技術分野】
【０００１】
説明される発明は、本発明に記載の構造を備えた表面を有する本体に関するものであり、そのために、それらは改善された特性を有する。特にこのような表面は、流体および固体の媒体の両方に接触し、任意の材料および粒子によって汚染され、いずれかの他の方法で不純物が含まれ、付着する。さらに、特別な構造、材料の組み合わせ、表面改質、および形状、材料および機能を修正する他の手段によって改善した表面を説明し、その表面は空力学的摩擦抵抗および流体力学的摩擦抵抗の両方の分野（乱流の低減、停滞への作用や境界層剥がれの挙動）、および各基板上または各媒体内の運動の分野で効果を示し、さらに、その機能において表面を最適化し、使用上できるだけ安全を保ち、泥の付着や着氷を低減する。
【０００２】
表面特性の改善において、泥の付着を低減し、自浄機能を向上させる方法の可能性を見い出すために、これまでかなりの期間、検討が行われている。特許出願番号ＥＰ  ０７７２５１４およびＷＯ  ００／５８４１０は、この主題についてのよく知られた例である。それらは、凹凸形態の自浄表面を説明しており、例えば恒久的に形成した表面構造や、洗剤によって分離可能な構造のような異なる製造方法および状況で、少なくとも部分的に疎水性を有する。
【０００３】
さらに、周りを流れる媒体の摩擦抵抗を低減する表面に関する用途が説明されている。例えば、特許ＤＥ  １９６５０４３９  Ｃ１、ＤＥ  ３６０９５４１  Ｃ２では、流れの境界層に影響を与えるリブ構造が説明されている。摩擦低減構造に関するこれらの説明された自浄表面の欠点は、一般に、それらが非常に特殊な表面構造であり、それらの寸法および用途において、非常に特別な用途または状況に限られることである。さらに、安全を規制する形態は考慮されていない。摩擦低減構造に対する適用の欠点は、一般に、それらが非常に固有の表面構造を説明し、寸法および形成の両方で、非常に特別な用途および開発に限定されることである。さらに、それらは、特別な応用範囲（車両、航空機など）に限定され、とりわけ、界面に作用する特性、ここでは特に摩擦低減特性に限定され、例えば速度を向上させたり、必要なエネルギ量を低減したりするだけである。本発明に記載の表面に比べて、他の表面、特に構造を設けたものは非常に多くの欠点を示す。既存の構造は、本発明の表面が対象とする全ての範囲の課題を対象とできない。さらに、本発明に記載の表面は、現在知られている摩擦低減表面（例えば特許ＤＥ  １９６５０４３９  Ｃ１、ＤＥ  ３６０９５４１  Ｃ２）や、説明されている各実施例の自浄表面では実現できない用途に対して、別の解決策を提供する。
【０００４】
本発明は、これまで実現できなかった条件下の所定の構造面に適用することもできる。本発明は、上記の異なる構造の少なくとも複数の効果を組み合わせて、本発明に記載の適切な組み合わせによる新規な改善された特性を有し、本発明に記載の表面構造の状況および課題を説明し、新しい用途の選択肢を提供する。これは、本発明に記載の組み合わせと構成、および異なる表面構造の材料特性によって実現される。
【０００５】
本体は、異なる媒体に接触する複数の表面を備え、
・第一表面は、μｍの範囲、及び／またはｎｍの範囲の第一表面構造を備え、前記第一表面構造は、第一表面に接触する第一媒体に適合させ、
・第二表面は、μｍの範囲、及び／またはｎｍの範囲の第二表面構造を備え、前記第二表面構造は、第二表面に接触する第二媒体に適合させる。
【０００６】
なお、第一および第二媒体は同じ媒体であっても、同じ相（液体、固体、気体）の異なる媒体であってもよく、例えば、両方の媒体は同じ粘度または異なる粘度の液体であっても、気体または固体であってもよい。
【０００７】
多くの表面、例えば、ある物体の表面、およびある本体の物体の複数または全ての表面に、同時に複数の等しいまたは異なる特性を割り当て、例えば一つまたは複数の異なる流動媒体に摩擦低減特性と、おそらく異なる流速、異なる流れの接近方向、および異なる媒体に対する所定の自浄特性を割り当てることが望ましい。これは、自浄性を持つ表面を同じ物体であるが、異なる表面領域に形成し、両方とも疎水性および親油性で、所望の課題を最も実現できるように変更できる。さらに、本発明のよる表面は、物体（例えば容器）の底部により重い材料が簡単に堆積および固化しないような自浄とは異なる課題を克服でき、さらに材料の吐出の改善、促進、加速を実現し、本発明の組み合わせよって、適切な方向の構造を備えた側壁に沿って材料を堆積させることもできる。
【０００８】
さらに、従来の技術では十分に解決できないか、または非常に複雑な技術的緻密さによってのみ解決可能な技術的特性を、表面、物体または他の基板に設けることもしばしば有用である。
【０００９】
本発明では、摩擦低減および自浄表面特性の両方を有する本発明に記載の構造を配置した表面を説明し、意図的に用いられた状況によって流速および流れの方向に影響を与えることができ、さらに遅い場合、あるいは必要であれば、層流から乱流への変化を加速させ、実現すべき課題によって任意の構造の組み合わせることによりそれらを形成できる。さらに、本発明に記載の表面は以降の効果を示す。これらの効果は、用途に応じて、流動媒体の交換、例えば流路の過程を選択するために用いることができる。さらに、本発明に記載の表面は、特定の状況において機能的表面構造または材料を備えることができる。さらに、方向性を持つおよび持たない構造の組み合わせることによって更なる効果が得られる。特定の状況では、他の構造によって構造化する効果および適用範囲で各々使用し、完成し、改善できる。例えば、摩擦低減面は、その機能を改善し、自浄表面によって保たれ、自浄表面構造によって摩擦低減表面を汚染や堆積物から保護し、汚染流体の影響下でもその機能を確保し保持できる。さらに、摩擦低減表面構造と自浄表面構造を組み合わせて例えば最適化し、方向に影響を与える摩擦低減表面構造によって最適な洗浄を確保し、そうしなければならない場所に水などの洗浄物質を導くことができる。
【００１０】
本発明に記載の表面の効果は非常に多様で、表面および物体に新しい用途を割り当てることができ、既存の用途を改善および拡大できる。本発明は、物体の全ての表面、特に移動中の摩擦抵抗、例えば空気の摩擦（混合ガス）または液体の摩擦（水）だけでなく、固体や、これらの凝集状態の任意の組み合わせや、同じ凝集状態の混合物及び／または化合物の組み合わせに対する摩擦過程に曝されたような面に適用できる。本発明の目的は、特に静的摩擦過程、滑り摩擦過程、これらの種類の互いの任意の組み合わせに対して、摩擦抵抗値を改善することである。さらに、本発明には、移動体、移動または非移動材料／媒体間、および非移動体および移動材料／媒体間の既存の全ての滑り摩擦効果を低減し、影響を与えることが含まれる。
【００１１】
異なる種類の自浄構造は、本発明に記載の表面の主要部を構成する。特別な微細構造によって、これらの主要部は様々な実施形態（形状、寸法、材料、被膜など）、主に方向性を持たない凸部または凹部や、凹凸の形状、例えば節状に形成される。他の特性の内、これらの構造は、特に主に各流動媒体（例えば水）での大きな接触角／濡れ角で明らかな非常に低い湿潤値を示すことを特徴とし、そのため自浄性が保たれると思われる。これは、所定の条件が適合する場合に当てはまる（所望される汚染媒体および洗浄流体などに適した構造の正確な寸法、凸部または凹部の間の距離、および比較的適した高さおよび距離の比率、さらに正確な材料選択）。これは、例えば小さな液滴がこれらの構造上でほぼ球形の表面を形成し、基板に接触できず、従って非常に素早く流れ出て、不純物を包んで基板に接着しないようにしたり、非常に弱い接着力でのみ接着し、数珠状態の時に不純物をくっつけて取り除くようにする。各凸部、およびそれらの間に配置しガス（通常空気）を充填した凹部によって、粒子の主要部は固体面に対して接触面を構成しないので、汚染粒子（例えば泥の粒子）は非常に小さな支持面（境界層）を示す。その結果、汚染粒子は、洗浄工程中に接触する液滴に対して、最低接触している固体面より高い接着力となり、水滴に捕獲、吸収され、排出される。適切な（汚染材料および洗浄を行う各媒体の両方に対して適切な）材料からなる凹凸形態に、凸部の間に接触を妨げる気体を封入することと、洗浄を行いほとんどの液体が動く媒体を組み合わせて、適切な表面構造を用いることによって、表面は実際にもはや汚れないことが実現され、非常に容易に洗浄できると仮定できる。
【００１２】
必要であれば、本発明に記載の表面は、速度、摩擦およびエネルギの意図的な増大（本発明に記載の摩擦低減、流れる方向への影響、表面の速度増大形態）によって完了し、洗浄を行う媒体は自浄表面構造となる。このように、洗浄効果は意図的に用いられ、改善され、複数の用途全てで実現できる。
【００１３】
規則的で滑らかな表面に比べて、所定の種類の微細構造の自浄表面は、理想的には最大１６０°（ワックス型物質）の接触角／濡れ角を実現する。この極端に疎水性の表面は超疎水性と呼ばれる。０°の接触角は完全に濡れることを意味し、１８０°の角度は全く濡れないことを意味する。これらの微細構造表面は、半球、レンズ状または節状の構造を備え、液滴が接着しないようにし、水で汚染粒子を非常に容易にすすぎ洗いできるようにする。本発明に記載のこのような表面が、ほぼ理想的な撥水条件を作ることは明らかであり、適切な疎水手段、例えば疎水性材料（陰イオン、陽イオン、両性、非イオン界面活性化合物など）をスプレーまたはワックスとして組み合わせることでさらにそうなる。
【００１４】
下記の微細構造は、主に１ｍｍ未満の範囲に関し、リブ構造はミリの範囲であるが、泥の付着、汚染、着氷などを防ぐ微細構造は、さらにかなり小さく、最も小さい構造は用途次第で、ナノの範囲まで下げることができる。
【００１５】
既存の用途では、微細構造表面の使用は常に、非常に特別な媒体を使った非常に特別な用途、例えば空気との摩擦低減、または水との摩擦低減などに対して意図的に計画される。それに用いられる微細構造表面は通常、所定のほぼ均一な材料で構成される。そして、表面は均一に構造化し、所定の媒体との摩擦抵抗を低減できる。同じことは自浄表面構造にも当てはまり、それらも通常、大きさが異なるが製品内では同じ材料の粒子／凸部からなる。本発明のように、異なる課題に対する、異なる材料で構成される、表面の部材上の異なる微細構造の組み合わせることで、これまでに工夫された改善と比べて明確な効果が得られる。摩擦抵抗を有効に低減するために、摩擦を引き起こす異なる媒体に対して、異なる微細構造を各面に取り付けまたは適用できる。本発明に記載のリブと、二つのリブの各々の間に配置した凹部の構造は主に各表面に適用し、予想される各流体の主な流れ方向、物体の移動方向または運動方向に対して、これらのリブを縦方向に配置し、各媒体に対して予想される摩擦を最低限にできる。
【００１６】
予想される周りを流れる流体の粘度が低いほど、構造の寸法も小さくなり、つまりリブ間の距離、凸部の空間的形状および各リブの高さを各流体に対して適合させることができる。空気は気体で、水は液体であるので、主に水に曝される面より、主に空気に曝される物体の表面により微細な構造を適用することが非常に好ましい。全ての他の表面構造、さらに非常に滑らかな表面に比べて、リブ状の表面構造は、全ての流体循環本体上に明確な好ましい影響を示す、つまり例えば滑らかな面に比べて、乱流に影響する効果、およびおそらく剥がれを遅らせる。両方の効果は、流体が循環する本体の滑りの挙動に好ましい影響を与え、特に、均一な流体（空気／水など）内の飛行／水泳／滑走中、例えばスキーのジャンプや飛行などでそうなる。
【００１７】
ここで、両方の影響により、本発明に記載の表面に各微細構造を適用する際、一般的な改善以上に表面に効果が得られる。
【００１８】
摩擦抵抗に対する一般的な改善は、複数の面上の縦方向のリブ構造によって実現され、ここでは、各循環流動媒体に影響を受けて構造を緻密にする。境界層剥がれの挙動が最も起こりそうな各本体の所定の領域で、構造を意図的に緻密に適応させて、この剥がれ挙動を低減できる。
【００１９】
特に摩擦が起こりやすい境界層流に対するこれらの構造の効果は、本発明に記載の構造の用途に対して重要であり、ここでは、層流と乱流で特性が異なるので、特にこれらの条件が変化し、層流から乱流に変わるところでは重要である。
【００２０】
境界層流は、流動体と循環される本体の間の摩擦力によって発生する。本体に直接接する速度は０であり、境界層の最も外側の端では、流体の速度は流動媒体の流速と同じである（本体上の摩擦抵抗がない場合）。境界層剥がれの危険がある表面領域では、例えば特に多くのリブ構造を適用でき、凹部を各リブ構造に（寸法と機能について）適合させて、各循環流動媒体に影響を与え、境界層剥がれをできるだけ遅らせるようにする。境界層剥がれを低減する構造をさらに適用し（例えば、Ｖ字形の扇状のリブ構造で、必要であれば、さらに基本的な領域に適した寸法とする）、物体の表面の適切な位置にさらに構造（例えば乱流発生器）を組み合わせることで、境界層剥がれをさらに増大させたり、減少させたりできる。
【００２１】
これによって、例えば、特に臨界、低移動または飛行速度が関わる際、飛行や滑走過程が妨げられて制御不能になることはなく、さらに良好な条件を長期間保持できる。
【００２２】
流動媒体では、流速は、境界領域、つまり他のもの、例えば固体に接する流動媒体内の領域領域が、異なる材料間の付着によって摩擦を引き起こす領域であり、ここでは、流体は例えば管内よりかなり低速で流れ、管内は流体の分子のみが存在し、分子間摩擦力はかなり低く、その結果、最も速い流速が実現される。
【００２３】
レイノルズ数は、流動液体内の慣性力と粘性力の比に対する無次元のコード番号である。Ｒｅ＝ｗｌ／ｖで、ｗは特性速度、ｌは特性長（管の直径、または循環される本体の直径）、ｖは液体の動粘性率である。臨界レイノルズ数は、乱流の判断基準である。それは、層流が乱流に変化するときを示している。値が小さいときは層流で、値が大きくなると乱流になる。
【００２４】
本発明に記載の溝／リブ構造のリブの距離の寸法的な構成は、とりわけ他の部材内の滑走部材の表面上で各々選択され、流体の動粘性（流体の粘性とその密度の比）が主にどのように摩擦抵抗を引き起こしているかという事実に基づく。
【００２５】
所定の流体による固体の濡れ性の各程度は、付着と粘着の間の平衡状態を示し、つまり壁分子と各流体の他の分子の間の相互作用を示している。
【００２６】
水銀は、多くの表面に対して大きな濡れ角を形成する液体の例である。この特性は、各水銀原子間に存在する極めて高い表面張力に基づく。ＰＴＦＥは、液体が非常に大きな濡れ角を形成する固体の例である。ＰＴＦＥの接着しにくい傾向は、その極めて低い表面エネルギに寄与できる。それは、１８ｍＮ／Ｍという固体で知られている最も低い表面エネルギを有する。しかし、その他の特性によって、非常に低い耐摩耗性を持つという欠点がある。
【００２７】
しかし、炭素に基づく層構造（ａ−Ｃ：ｈまたはＤＬＣ（ダイヤモンド状炭素）およびＭｅ−Ｃ：Ｈ）は、理想的な耐摩耗性を有する。炭素ネットワークに異なる元素を組み込むことで、被膜の表面張力に意図的に影響を与えることができる。フッ素やケイ素を用いることで、１００°を超えるまで水の濡れ角を増大させて、濡れ性をかなり低減できる。従って、この低表面張力はＰＴＦＥに匹敵し、その被膜は同時にセラミック材料の硬度を有する。各要件および媒体に最も適合させるには、さらに改善し、本発明に記載の表面と組み合わせることで実現できる。
【００２８】
理想的な本体は、流線形の本体によって表される。その空気抵抗係数は、０．０５５である。
【００２９】
この値は、停滞もないし、渦巻き、従って乱流を引き起こす大きな圧力差もない状態で実現される。その層流は、本体の全体で保持される。本体に対して主に縦方向に配置した溝の本発明に記載の適用および形成によって、構造のリブの溝および上端は、粘性のある底部の層内の横断流の成長を妨げ、境界層内の乱流が低減する。この場合、ほとんど振動のやり取りはなく、一般により低い乱流剪断応力が期待されることになる。さらに、リブに対してやや角度を持って接近する流れの場合、本体に接近する流れに影響を与え、この本体に接近する流れは本体に平行な方向により成長する。この特性は、表面上のリブ構造の方法や方向に適用するために用いられ、流れの方向に影響を与えるように少なくとも部分的に用いて、本体の二次元的または三次元的方向を改善し容易にする（これは、スキーのジャンプ用の滑走部材にも当てはまる）。
【００３０】
このことにより、層流と乱流の両方の種類の流れに対して、およびこの接続部では、気体および液体媒体に対して予想可能な大きな効果が得られる。これは、摩擦の低減に対して、それらの位置によって各表面にやや異なる課題を有するので、異なる表面に対して利用可能で、異なる方法で構造化でき（異なる流体に接触する場合）、効果を提供できる。
【００３１】
因子ｓ＝２ｈは、凸部の高さｈと凸部ｈの間の距離ｓの良好な寸法比であることがわかるが、その値は用途に応じてかなり変えることができる。
【００３２】
凸部が三角形で、約３０〜４５°の横方向の傾斜を示す台形の溝は、非常に有効であることが証明され、必要であれば、異なる傾斜角に形成できる。もちろん、凸部の外形、角度、凸部の間の距離、およびこれらの微細構造を形成する材料を要件に適合させることができる。本発明に記載のと、上記とは逆に、例えば、表面の所定の領域の補間構造、例えば移動方向と対角に走る構造を適用することができ、それは特に余分な流体を排出でき、摩擦や乱流の生成など他の課題も実現できる。それに加えて、表面の所定の領域の密または疎な構造は、これらの面を備えた物体の他の特性を改善できる。理想的には、表面の主な構造の変形態様は、移動方向に適用したリブ型構造を有し、１ｍｍ当たり約１０〜３５個の密度の例えば、台形、Ｕ字形、Ｖ字形、Ｌ字形の溝を実現する。これは複数の効果を提供し、一方では、この種の構造による静的摩擦力の低減に基づいて非常に良好な滑走能力が期待され、他方では、多数の凸部によって比較的多くのリブにもかかわらず、表面が非常に安定なままとなる（行者の爪床に匹敵する）。必要であれば、このリブ構造はさらに鱗状構造にすることにより完全なものとなる。
【００３３】
これらの表面はさらに、ワックスや同様の物質の適切な潤滑剤を表面に塗布すれば、より滑らかにできると思われる。摩擦低減、自浄及び／または非汚染機能を特徴とする表面の構造は、他の全ての製品にも適用でき、それらは気体摩擦、液体摩擦または固体／泥の所定の摩擦（例えば砂、地面、ボール型の部材、流体などの少なくとも部分的に固体の個々の物質の不完全な固体の集積による移動）、異なる／同じ材料の凝集の可能な全ての混合物、および同じまたは異なる状態の凝集における異なる／同じ材料の混合物のいずれかに曝される。本発明に記載の用途は、それ自身の力で動く本体（車、自転車など）と、他の力によって動かされるもの（重力、モータの力、筋肉の力などによる加速）の両方に当てはまる。スポーツ器具の微細構造は、この分野で、さらに優れた特性を備えた新製品を開発し、新しい最大の能力を得て、一般的な使用および用途を向上させるために不断の努力が行われているので、特に言及する価値がある。それは一般に、外形をかなり変化させる絶対的な必要性はなく、さらに優れた表面特性を実現し、とにかくそれらを可能にすることになる。本発明に記載の構造を製造するために、リソグラフィ法（例えばＬＩＧＡ法）、微細成形、機械的微細技術、レーザ微細処理、加熱エンボス加工、射出成形、プラズマ技術など異なる技術を適用できる。汚染を抑えるより緻密な微細構造のために、ＰＥなどのプラスチックに対して、さらに焼結（回転焼結、粉末および可能な静電粉末スプレーなど）を行うことができる。
【００３４】
エネルギは、非常に特別なプラズマ固有の方法で、表面のプラズマ処理によって固体の表面に送られる。従って、プラズマは、表面処理に非常に適している。それらは、活性化させ、粗面にし、つまり表面の分子の要素が他の物質と接続しやすくする。しかし、それらは、処理ガスを適切に選択することで、直接表面被覆にも適する。接着性金属膜は、既存のパラジウム作用によって、そのように処理した表面に形成できる。この方法では、これまで金属膜を形成できないか、または大量の異質な添加物によってのみ支持可能であったプラスチックに金属膜を接着させることができる。適切な方法を用いて、ＰＴＦＥでさえも金属膜を接着可能である。プラズマ活性表面の異なる範囲の用途は、金属箔やプラスチック表面にも広がる。低温プラズマ型の表面処理では、単に表面を活性化させるだけでなく、別のステップが通常とられる。次のステップは、機能化である。酸素を処理ガスとしてプラスチック部品を処理すると、例えば、水酸基、カルボニル基、エステル基にもなり、つまり化学的機能を持つ分子部となり、そのように前処理した部品はさらに表面処理しやすくなる（疎水性でワックスに馴染みやすい、導電性など所望の要件に応じた表面特性の改質）。物体の外観は、その表面によって決定され、本発明に記載の改質された表面の適用範囲では、特に濡れ性と摩擦がここでは重要な役割を果たす。
【００３５】
プラズマ技術は、本発明に記載のこのような微細および超微細構造の経済的製造にも用いられる。プラズマ技術によって、微細／超微細構造の薄いセラミック構造に例えば金属プラグを取り付けて、エンボス加工でき、例えば、この微細／超微細構造のプラスチック（ＰＭＭＡなど）のように材料をセラミック構造でエンボス加工できる。セラミック層の構造形成は、自己組織化するように発生するが、プラズマ処理は、各用途に好ましい自己組織化を発生させて、各構造を実現する。例えば、プラズマ処理によって、本発明により構造化したローラを製造できる。これらのローラは例えば金属から構成でき、物体の所定の表面に対する微細／超微細構造、さらにこれらの物体を使用するために必要な全ての部材、およびエンボス可能な材料からなる別の支持部材の全ての他の表面に対する微細／超微細構造を加熱エンボス加工できる。
【００３６】
以降で説明する発明は、改善の多数の可能性からなり、それらは、単一の面、または一つおよび同じ製品に必ずしも適用する必要はなく、各単一の改善を別個に用いることもできる。しかし、全ての可能性を用いる場合、周囲の各条件および媒体に対して表面を最適化できる。
【００３７】
それらの様々な用途において発明の効果を説明するために、第一の実施例では冬季スポーツの滑走部材を説明する。この実施例は、一般的な滑走部材に関する。
【００３８】
次に、本発明に記載の表面の広い適用範囲を示すために、実施例を手短に説明する。
【００３９】
実施例１
第一の実施例は雪上滑走部材を説明しており、その表面は、特別な構造、材料の組み合わせ、表面改質、および形状、材料、機能の改良に関する他の手段によって改善し、その滑走部材は、空力学的摩擦抵抗と流体力学的摩擦抵抗の両方の分野（乱流の低減、停滞や境界層剥がれの挙動への影響）、および各地面上の滑走の分野で効果を示し、それに加えて、その機能を最適化し、より安全に使用でき、泥の付着や着氷を低減する。本発明は、移動中の摩擦抵抗に曝される物体の全ての面に適用でき、例えば、空気摩擦（ガスの混合）または液体の摩擦（水）によるものだけでなく、固体、これらの凝集状態の任意の組み合わせ、および同じ凝集状態の混合物または化合物の組み合わせに対する摩擦過程によりものに適用される。本発明の目的は、特に静止摩擦過程、滑走摩擦過程、これらの種類の摩擦の各々の任意の組み合わせに対して、摩擦抵抗値を改善することである。さらに、本発明では、移動する本体、移動または移動しない材料／媒体の間、および移動しない本体と移動する材料／媒体の間の既存の全ての滑走摩擦効果を低減し、別の影響を与えることが含まれる。さらに、滑走部材の表面を改善することで、表面部材（ビンディング、流れ止めなど）の改善されより安全な機能、およびこれらの部材の着氷／泥の付着（表面上への望ましくない物質の付着）の著しい低減の両方を得ることを本発明の各応用によって実現し、滑走部材の使用および着用を最適化する。
【００４０】
現在製造されているスキーの滑走面は、経済的に製造可能なポリエチレンなどの高分子からなり、以前に用いられていた中央の凹部の代わりに、通常滑走方向（縦方向）に小さな溝を有する。ＰＥは低価格な材料で、その熱可塑性によって、最小の労力でさらに費用効果のある方法で形成できる。
【００４１】
多くの改良の目的は、新しい材料を用いて滑走部材の滑走面を改善し、各滑走部材が各地面上でより速く滑走できるようにすることである。これらのアイデアの多くは、非常に高価な材料を用いなければならなかったり、各足底の製造が非常に高価で、手が込んでおり、そのためには滑走部材の一部しか改善できないといった欠点がある。とりわけ、現在用いられている足底の欠点はその濡れ性である。ポリエチレン材料の水に対する濡れ性は、現在適用されている種類の構造ではまだ非常に難しい。このことから、広範囲の滑走摩擦力が、地面上での滑走部材の滑走を妨げることが理解される。ワックスがない場合、ＰＥ表面の濡れ性の値は、８０°より小さい濡れ角で、とりわけ摩擦値の増大によって、つまり滑走部材の滑走能力が低下する。
【００４２】
この使用法では、滑走摩擦力は特別なワックス混合物によって低減され、それはとりわけ水による足底面の濡れ性を低減させる。現在の良好で特別なワックス（フッ素ワックス）を用いると、濡れ性の値は、標準的なワックスで処理したＰＥ表面が約８０〜９０°の濡れ角であるのに対して、濡れ角／接触角約１２０°の測定値を実現できる。さらに、雪上滑走部材の外形を変えることで、摩擦低減効果を実現して、滑走部材の空力学性を向上させ、それ上の滑走がより快適にできるようにする試みがある。それに加えて、空気摩擦の低減によって、滑走速度を上げることができる。これらの既存の改善の多くは、高価で経済的には効率的ではないという欠点があり、さらに滑走部材の重量が増える、異なる滑走形状によって起こる用途、保管または使用についての他の欠点を含む。滑走部材、ここでは特に雪上滑走部材について、別の問題があり、雪上滑走部材の上側に雪が堆積したり着氷したりすることによって、雪上滑走部材の使用が制限されることはこれまで解決されていない。これは安全上の障害でもあり、移動中に滑走を妨げることもあり、雪上滑走部材が湾曲する際に問題となる。これらの問題は、雪上滑走部材自体、およびビンディング領域やスキーブーツにも関係がある。スキーブーツのビンディングや足底の領域の雪や着氷によって、ビンディングが入らなかったり、適切に噛み合わなかったりすることがよくある。
【００４３】
しかし、これまでに適用された解決策にはいくつかの欠点がある。ここで最も起こりそうな主な問題は、例えば氷掻き取り板のような物体は、潜在的利用者にとってあまり魅力的ではないということである。このような物体は、常に持ち運ぼうとする場合むしろ邪魔になる。そして、このような物体を雪上滑走部材、スキーのストックや他の器具に固定することも邪魔で、危険でさえもある。さらに、雪や気候といった支配的条件に左右されて常には必要とされない別の製品は、雪上滑走部材を利用するほとんどの人には、邪魔な付属品とみなされる可能性が高い。雪上滑走部材の安全関連の機械部品の着氷や泥の付着を妨げたり低減したりする別の試みもある。この例の一つには、雪上滑走部材に取り付ける防雪器があるが、重く、扱いが面倒で、移動特性が変化し、もちろん、氷掻き取り板のように、別の付属品として購入し、別に取り付けなければならない。従って、これは利用者のコストや労力が増えることになる。
【００４４】
ＰＥ足底の濡れ性は、この使用法では足裏にワックスを塗布することで低減され、足裏自体は非常に疎水性が高くなる。ワックスの効果は、ワックスの塗布温度を上げる（約１３０℃、ホットワックス）により高まる。この過程の結果、ワックスは高分子の上層に侵入し、高分子、つまり足裏の疎水性を改善できる。この手順の欠点は、標準的に構成された足底については、足底は、その比較的粗い構造によって、非常に限られた量のワックスしか吸収、蓄積できず、表面の拡大は最低限度に留まる。上記構造には、スキーの下の水の膜が、濡れた雪の条件下で十分に規制されず、余分な水を放出できないという欠点がある。これは、現在用いられている足底の微細な縦方向の構造が原因である。これは、空気が対応する領域の間に入り込む、前に取り込むことができない場合、吸引効果を引き起こす。さらに、対角構造を用いて、余分な水を横方向に導き、表面の間の空気を運ぶことで、吸引効果を妨げる場合、地面との摩擦が増大し、滑走能力が低下するという問題があり、これは滑走の方向、またはある角度で走る構造が原因である。滑走部材の多くの改善に対する一般的な問題は、多くの場合、適切な改善によって、部材や器具などの非常に特別な部分のみを最適化しようとしていることである。上記とは逆に、ここで説明する発明は、滑走部材の所定の部分についてのみだけでなく、さらに各機能ユニット（足底、ビンディング領域など）の最適化について、および滑走部材全ての機能についても複数の好ましい影響を示している。滑走部材についての本発明に記載の改善は、本発明に記載の微細構造を備えた各構造の最適化、新しい構造または部分的構造、これまで構造化されていない面や、そのような構造を持つ面によって実現されるが、これらは微細構造によって改善され完成する。これのことにより、これまでに適用された他の解決策に比べて明確な効果と改善が得られる。
【００４５】
他の目的の中で、本発明に記載の滑走部材上の表面の用途は、例えば適切な微細構造によって、地面に対する足底の摩擦値を低下させ、その結果、滑走部材が良好で速く滑走できるように改善させる。さらに、足底以外の残りの面に本発明を適用すると、滑走部材全体の空気抵抗を低減し、さらに使いやすく、滑走速度を速くする。さらに、滑走部材に泥が付着するという問題は、本発明の微細構造の特別な変形態様によって低減され、防ぐことができる。そして、滑走部材への、およびビンディング領域内の雪や氷の不要な堆積を低減し、妨げることができる。その結果、滑走部材の移動およびビンディングに入れることがかなり容易になる。さらに、スキーのビンディング、ブレーキや全ての機械的可動部材の問題について、その障害がかなり低減される。故障が発生する率を低減でき、本発明によって構造化した面にはほとんどの異物は接着できず、水で非常に容易にすすげるので、ビンディングが外れなかったり、邪魔されたり、異物（氷、雪、汚れなど）によって意図もなく外れたりする問題が発生する確率を非常に高い度合いで防ぐことがでる。さらに、本発明により構造化した滑走部材、および靴や衣服など、同様に構造化した他の本体は全て、簡単には汚れることなく、自動車の上など外に出したまま運んでも洗浄が容易で、汚れにくい効果がある。
【００４６】
走向構造（主に移動方向に走る微細構造）を備えていれば、この微細構造はむしろ摩擦低減および乱流低減機能を有し、走向構造でなければ（方向を制御しない構造）、むしろ自浄機能を有する。本発明はスキーと共に購入し、スキーはこの改善の結果より高品質の製品となるので、本発明の場合、利用者には実質的に別のコストとはならない。最適化された製品については、例えば重量の増大や、怪我の原因となる突出部などの不利な面、または改善の効果が他の利用分野に対しての欠点に変わるような面はない。微細構造によって、表面積は非常に大きくなる。適切な非常に低粘度のホットワックスを用いると、この種の表面は、既存の足裏構造より非常に大量のワックスを蓄積できる。さらに、非常に微細な構造のため、ワックスの取り込み自体が促進される。同様の事実は、スプレーや液体などの滑走部材などの滑走能力を改善する他の物質にも当てはまり、これらは着氷を防ぎ、非常に厳密に構造化されたクロスカントリースキー用の代わりに用いることができる。スキーでの移動は、二つの要素によって基本的に影響を受ける。第一は空気抵抗で、第二は雪や一般に地面との摩擦力である。これらの摩擦力は主に、滑走摩擦力と静止摩擦力からなる。両方の種類の抵抗力は、本発明に記載の滑走部材の表面の構造改変、つまり表面を適切な微細構造にすることで低減できる。
【００４７】
つまり、足底と、スチールのエッジとスキーの側面を含むスキーの上側全ての両方を微細構造にすることによる。
【００４８】
移動特性を向上させ、滑走部材の使用を最適化するのには多くの要素が寄与する。本発明に記載のこれらの改善は、ビンディングとスキーブーツを含む滑走部材全て、および利用者の衣服や付属品に関する。下記の微細構造は主に、１ｍｍ未満で、溝構造はミリの範囲であるが、例えばビンディング領域の着氷や泥の付着を防ぐために、微細構造はさらにかなり小さく、つまり最も小さい構造は用途に応じて、ナノの範囲まで下げることができる。ここで説明する発明のように、異なる課題に対し、異なる材料からなり、例えば滑走部材のようなある器具の異なる部材上の異なる微細構造の組み合わせには、これまで発明された改善を越える明確な効果がある。本発明によると、滑走部材、特にスキー滑走部材は、全ての面の値をかなり改善することで、その特性が改善され、それは、摩擦抵抗、乱流の傾向および停滞や境界層剥がれの挙動についての微細構造の各適用することにより、および本発明に記載の適切な微細構造の適用により、泥の付着や着氷をかなり低減し防ぐことができる。
【００４９】
摩擦力を効率的に低減するために、摩擦の原因となる異なる媒体に適合させて、滑走部材の各表面に異なる微細構造を取り付けまたは形成する。従って、異なる種類の微細構造は、足底領域の滑走部材の表面では、主な摩擦過程は比較的粘性のある流体（水）に対して発生するので、１ｍｍ当たり約１０〜２５個の溝が適切であり、全ての面に対しては、微細構造は各流体に対して摩擦抵抗を最も効率的に低減するように選択される。滑走部材の上側では、主に空気（混合ガス）が媒体として機能し、摩擦抵抗を生成するので、微細構造は比較的微細、つまり例えば１ｍｍ当たり約１０〜３５個のリブにする。その構造は、滑走部材上のほぼ縦方向に形成され、滑走部材の標準の使用での移動方向に配置されるようにする。摩擦抵抗を最適化するために、本発明によって、必要であれば、ビンディングとブーツの両方の全面に、移動方向に配置した微細構造を設けることも有用である。さらに、滑走部材、特に雪上滑走部材を本発明により微細構造にして（小さな疎水性凸部を分布させ（節構造）恒久的に取り付ける）、泥の付着や着氷（雪の堆積）を低減または防ぎ、水の効果で非常に容易に除去できるようにし、微細構造は特にビンディング領域、つまりビンディング領域の表面、ビンディング止め、およびビンディングの下の板（上昇板）、さらに着用する利用者／人への雪上滑走部材の固定に関わるブーツ上の部品に関する。
【００５０】
所定の流体による固体の濡れ性の度合いはそれぞれ常に、粘着と接着の間の平衡状態を示す、つまり壁分子と各液体の他の分子の間の相互作用の状態を示す。ＰＴＦＥは、液体が非常に大きな濡れ角を作る固体の例である。しかし、他の特性によって、非常に低い耐摩耗性を持つという欠点がある。しかし、炭素に基づく層構造（ａ−Ｃ：ｈまたはＤＬＣ（ダイヤモンド状炭素）およびＭｅ−Ｃ：Ｈ）は、理想的な耐摩耗性を有する。炭素ネットワークに異なる元素を組み込むことで、被膜の表面張力に意図的に影響を与えることができる。フッ素やケイ素を用いることで、１００°を超えるまで水の濡れ角を増大させて、濡れ性をかなり低減できる。従って、この低表面張力はＰＴＦＥに匹敵し、その被膜は同時にセラミック材料の硬度を有する。ワックスは、異なる種類のワックスにおいて、表面（ＰＥ足底）と水滴の比の中で、できるだけ大きな接触角／濡れ角を実現することが目的である。少なくとも８０°の接触角が雪上での移動では望ましい、つまり１２０°を越える値を実現できる全ての改善（フッ素ワックス付きのＰＥ足底）はかなり興味深いと思われる。０°の接触角は完全に濡れることを意味し、１８０°の角度は全く濡れないことを意味する。
【００５１】
本発明に記載の節状微細構造表面は、液滴の接着を妨げ、汚れの粒子を水で非常に容易にすすげるような特別な構造を有する。従って、滑走部材に形成したこのような面が、ほぼ理想的な撥水条件を作ることが確立され、適切な疎水手段、例えば疎水性材料（陰イオン、陽イオン、両性、非イオン界面活性化合物など）を、例えばスプレーまたはワックスとして組み合わせることでさらにそうなる。雪上のスキーの実際の滑走は、氷上のアイススケートの滑走と同様の原理に少なくとも部分的に基づく。この特別な物理的特徴は、水の特別な特性に基づき、復氷と呼ばれる。それは、材料の凝集の固体から液体状態への相転移の圧力依存性を説明し、その材料は溶けると固相より高密度を有する場合である（水、ビスマス、ガリウム）。このような材料は、圧力の影響下で溶融し、圧力が下がると再び固化する。逆に、復氷に加えて、顕微鏡的に小さな液滴の形成が摩擦の結果として生じる。スキーの滑走面が雪を横切って滑走すると、摩擦が生成され、熱が生じる。雪の結晶は、この摩擦熱によって裏の下で短時間に部分的に溶融する（微視的に小さな液滴の形成）。この部分的溶融が、とりわけ滑走過程の原因となる。しかし、微視的に小さな液滴が余分に形成されると水の膜が生じ、接着力と吸引効果が滑走を妨げる。滑走面構造はスキーの滑走に決定的に影響を与え、さらに特性を変える。
【００５２】
この構造は、雪と滑走面の間の摩擦を低減する。乾燥した結晶の雪、およびアモルファスの滑らかな雪のいくぶん粗いものはとりわけ、吸引効果を妨げるために、非常に微細でほぼ滑らかな構造を選択することが推奨される。ＰＥの足底で現在用いられている構造は、特別な回転石で処理し、送りや回転速度に影響されて、スキーの裏に異なるパターンを刻み込む。これらのパターンは、雪の含水条件に応じて、得られる水の膜上でスキーを滑走させるのに用いられる。滑走部材の滑走挙動における水の膜の影響は、主に移動方向に走る微細なチャネルによって制御され、各要件に適合させる。吸引効果は、本発明に記載の足底の構造によって妨げられることもある。大量の凹凸および雪上滑走部材の連続的な移動によって、少量の空気が、これらの凹部に取り込まれ、吸引効果を固定的に妨げる。さらに、撥水効果も、吸引効果を妨げる微細構造によって実現される。スキーが地面に対してほとんど摩擦を有しないのに加えて、これらの撥水特性が生じ、スキーの足底の裏材をほとんど摩耗したり傷ついたりしないようにできる。さらに、乱流の傾向、摩擦抵抗、および各周りを流れる流体の停滞が、本発明に記載の雪上滑走部材の表面の微細構造によって低減される。もちろん、本発明によって構造化した裏側は、要件、負荷、課題に応じて、現在用いられているもの以外の適切な材料から構成することも可能で、例えばＰＴＦＥ、他のプラスチック、表面改質プラスチック、金属や合金、炭素に基づく層構造、および他の全ての適切な材料や材料の混合物であってもよい。これから、雪上滑走部材の使用について、決定的に特性を改善するために、本発明に記載のいくつかの好ましい改善を、滑走部材の表面に関して説明する。「滑走部材の表面」は、外側の見える全ての領域や、摩擦抵抗または汚染環境に曝されうる領域が含まれる。さらに、本発明には、ビンディング領域内、スキーブーツ上、衣服上、および体に身に付けられる全ての付属品上の表面改質が含まれる。市販品を改善するために、その異なる部品を改良できる。スキーを考える場合、例えば、主要な改善として、足底の改良は当然の改良である。しかし、同様に他の面を最適化することも非常にうまくいく可能性がある。本発明に記載の滑走部材の最適化は主に、摩擦抵抗および流体力学的領域の乱流の傾向を低減する。滑走部材の残りの面を考慮する場合、本発明に記載の微細構造は、摩擦を低減でき、さらに主に空力学的範囲で乱流の傾向を低減できる。この改善は、現在用いられている構造とは逆に、スキーの足底により微細な構造であるが、主に縦方向の構造を設けることを意味する。比較的縦方向の（移動方向に形成した）構造は、空気抵抗に曝される滑走部材の全表面に対して、およびビンディング、スキーブーツ、利用者の衣服全てに対して設ける。
【００５３】
以降の説明は、雪上滑走板、ここでは特にスキーに関し、本発明に記載の滑走部材の微細構造の他の可能な用途全てに対して作用する。本発明に記載のこれらの微細構造は、摩擦抵抗を低減し、さらに流動媒体の乱流の傾向および境界層剥がれの振舞いを低減し、各表面材料角の撥水特性を支持するために用いられる。さらに、泥の付着および着氷を妨げ、必要であれば摩擦抵抗を低減するための本発明に記載の全ての表面については、雪上滑走部材、特にスキー、部材、器具、およびその使用のために必要な装置部品の例に基づいて説明する。滑走部材、特に雪上滑走部材にこの種の表面構造を適用する例に基づいて、この構造は各表面に理想的に設計し、摩擦生成媒体（雪、氷）が予想される例えば、足底の表面上、端部領域内、および必要であればスキーの側面に、その構造を適合させてることができるのは明らかであり、この媒体は、上記の溶融過程によって、摩擦や圧力の結果として少なくとも部分的に溶融するものである。さらに、スキーの残りの面は、空気といった予想される異なる摩擦生成媒体に適合させることもできる。さらに、滑走部材に取り付けた器具および本体の全ての面、および滑走部材を利用するために用いられる装置部品や衣服などの全ての面を向上させることも有用であり、さらに、各摩擦低減構造を、必要であれば、各領域に他の例えば自浄表面構造を組み合わせることも有用である。
【００５４】
もちろん、これは、特にスキーのビンディング、ブレーキ、上昇板などのスキーに取り付ける器具に関し、さらにこれは、特にスキーブーツの表面にも関する。全ての他の表面構造および絶対的に滑らかな面に比べて、溝形状を持つ表面構造は、全ての周りを流れる本体に明確な好ましい影響を及ぼすという効果があり、つまり、例えば滑らかな面に比べて、乱流に影響する効果および剥がれを遅延させる可能性がある。両方の効果は、本体の滑走挙動（例えば滑走部材の形態で）に影響を与え、例えばスキーのジャンプ中に均一な流体（空気）内での特に滑走中に、流体をうまく循環させる。摩擦抵抗の一般的な改善は、滑走部材の全ての面上の縦方向に配置したリブ構造によって実現され、その構造の微細さは、各周りを流れる流動媒体に影響されて形成される。境界層剥がれが最も起こると予想される滑走部材の所定の領域に対して、目的を持って構造を改良し適合させることによって、例えば背面ビンディング領域内や、滑走部材の先端において、滑走部材のこの挙動を低減できる。リブ構造に各凹部を適合させた（寸法や機能について）特に多くのリブ構造を適用することはこれらの領域では有効であり、各周りを流れる媒体に影響を与え、境界層剥がれをできるだけ遅らせることができる。
【００５５】
本体に対して主に縦方向に配置した溝の本発明に記載の適用や形成によって、この構造のリブの溝や上端は、粘性下層内の横断流の成長を妨げ、境界層内の乱流が低減する。この場合、ほとんど振動のやり取りはなく、一般により低い乱流剪断応力が期待されることになる。さらに、リブに対してやや角度を持って接近する流れの場合、本体に接近する流れに影響を与え、この本体に接近する流れは本体に平行な方向により成長する。この特性は、滑走部材上のリブ構造の方法や方向に適用するために用いられ、流れの方向に影響を与えるように少なくとも部分的に用いて、滑走部材の方向を改善し容易にする（滑走および転回中、スチールエッジの端部領域に形成した各構造の結果として）（これは、スキーのジャンプ用の滑走部材にも当てはまる）。
【００５６】
理想的には、足底の主構造は、移動方向に形成した溝型構造を有し、１ｍｍ当たり約１０〜２５個の密度の台形、Ｕ字形、Ｖ字形、Ｌ字形の溝を実現する（図１）。
【００５７】
これにより、いくつかの効果が得られ、一方では非常に良好な滑走能力が、この種の構造による静止摩擦力の低減に基づいて期待され、他方では多数の凸部により、比較的多くのリブであるにもかかわらず、表面が非常に安定な状態である（行者の爪床に匹敵する）。必要であれば、このリブ構造は、さらに鱗状構造よって完成され、これは特にクロスカントリー用途、つまりツァリングスキーに有用である。
【００５８】
例えば、ワックスや同様の製品などの適切な潤滑剤を表面に塗布すれば、これらの表面より滑走させることができると思われる。現在、多くのアルペンスキーは、縦方向に構造化した滑走面を備えている。しかし、毛偉材用いられている構造は、ずっと粗いグリッドから構成されている（図８ａ）。現在、１ｍｍ当たり約２〜３の凸部や凹部がある。さらに、上昇させた領域は、現在用いられている裏側の凹部よりずっと広い。その上、現在用いられている滑走面は絶対的に均一で、常に同じ種類の構造を備えている。それとは逆に、所定の例えば補完構造を本発明に記載のスキーの所定の領域に形成でき、例えば構造を移動方向に対して斜めに配置して、外側に水を排出できる。さらに、滑走部材の所定の粗または密な構造によって、移動特性を改善できる。リブの間の距離が等しい標準化された常に等しい構造と、別の最適な方法で各要件に適合させた最適化された構造（高速ジャイアント・スラローム、機動性スラローム、および異なる雪や気候条件）の両方を用いることができる。例えば滑走部材の足底の所定の領域の粗または密なリブ構成により、摩擦力を改善される。さらに、凸部の数や構造によって、地面（雪）上の滑走部材の支持領域を改善できる。
【００５９】
このことにより、より小さな支持領域によって１ｃｍ2当たりの圧力を増大させることができ、微視的に小さな液滴の復氷／形成に影響を与えることができ、水の膜の増大または現象が生じ、地面上の滑走摩擦を改善できる。
【００６０】
エッジは一体型エッジとしても、異なる硬度の鋼の分割エッジとしても製造される。硬鋼は耐久性があるが、処理が難しくなる。エッジ材料として用いられる熱処理鋼は比較的新しい開発で、標準的な材料より鋭敏さを長く保持できるが、手動での調整が難しくなる。エッジグリップは、本発明に記載の微細構造をエッジに設けることで改善でき、これは、例えば移動方向、移動方向に対して斜めまたは垂直に走り、そうして所望の効果を実現できる（移動中の摩擦抵抗の低減、または停止するためのエッジを滑走部材上に設定する際のグリップの改善）。
【００６１】
適切な微細構造の形態での本発明に記載の改善に加えて、滑走部材構造の形状と材料の両方を、本発明の形成に基づいて用いて、本発明に記載の滑走部材表面により高い弾力性を提供する。さらに、本発明に記載の微細構造の形成を他の材料に適用し、滑走部材の表面の従来の材料を全体的または部分的に置き換えて、所望の弾力性が実現される。滑走部材自体がその設計により張力を蓄積し、この張力が滑走力に変換されるだけでなく、滑走部材の裏面も張力を力に変換できれば、これは、上記の効果を有する微細構造表面による改善に加えて、さらに別の改善を意味する。弾力性は、硬く比較的鋭利に凸部（リブ）を形成し、できるだけ横断流を妨げるように、材料を選択することで実現される。しかし、凸部の材料は非常に移動可能であってもよいが（例えば硬い材料からなる鱗状）、突出部の下部に選択する材料は別途弾性を有することが可能である。
【００６２】
実施例２
第二の実施例は、例えば建物、構造物および類似の本体などの物体の表面であり、これらは、異なる流れ方向および異なる材料の主に流体摩擦力の影響を受けて、自浄機能を実現する表面を有することができる。発明の物体の有利な構成は、例えば流体または一般的な可動媒体に曝される物体の表面に、本発明に記載の表面を設ける。これらの表面、およびそれらの周りの物体は、他の表面上の例えば建物または他の本体に対して大きな効果を生じる。川にかかる橋が、この場合の特殊な例として挙げられる。本発明に記載の表面の実施例は、異なる材料からなり、さらに異なる流動媒体に曝される本体によって表される。さらに、その目的は、できるだけ泥の付着を防ぎ、できるだけ材料全体の消費量を低く保ち、建物の安定性を最適化することである。
【００６３】
全ての要件は、本発明に記載の表面によって対応できる。従って、水中にある表面（対応部材など）に本発明に記載の表面を形成することで、流動媒体の水に適合させた摩擦低減面を主に流れ方向に形成し、衝突および周りを流れる水の塊の流れの摩擦を低減し、水路に影響を与えるように用いることもできる（必要であれば、もちろん他の構造および表面と組み合わせて）。このように、水圧を低減することよって、完全なシステムの「橋」に対して安定した効果を実現して、安定性と安全性を促進し、さらに、水圧の低減によって少ない物質を用いて、同じ安定効果を実現できるので、全物質消費量も低減できる。本発明に記載の表面を形成することで、水にかかる橋の領域の構造部品の所望される全ての表面に摩擦低減表面を形成することもでき、自浄特性を備えた表面構造と組み合わせて、対応する領域において、泥の付着や着氷などを非常に効率的に、特に風や水で洗浄できる。もちろん、同様のものは水中にある全ての領域に対しても形成できる。本発明に記載の表面を形成する結果、苔の被覆、藻による汚れ、および一般的な泥の付着の低減など、水中の特性も改善できる。
【００６４】
全ての種類の足場、柱および支持部材も、本発明に記載の表面を構成する物体の集まりの一例を表す。例えば、本発明に記載の表面を構成した足場は、非常に汚れにくく、建設業界で非常に興味が持たれる。一方、足場の機能を改善して、摩擦力が低減し（例えば風力荷重応力、にわか雨、雷雨による）安定性を向上させることができる。さらに、この分野で現在用いられている表面に比べて、表面の自浄特性によって、これらの表面上での特に汚れ、雪、氷などの堆積の発生を低減できる。これらの自浄特性は多様な効果を提供し、洗浄の労力の節約や美的外観の維持になるだけでなく、安全関連の面でも有用である。従って、本発明に記載の表面を各々形成すれば、各表面は、乾燥し易く、着氷が少なく、一般に汚れが蓄積しにくく、そうしなければ事故、障害および故障を引き起こすかもしれない。
【００６５】
実施例３
異なる表面構造は、移動させるまたは移動する物体、例えば乗り物（水、土、空気）に対して有利であることも証明できる。流動媒体の水に対する摩擦の低減は、例えば水上の乗り物に対して望ましいが、周囲の空気も関係がある。その構造は、各流体によって異なる。
【００６６】
さらに、移動方向自体を考慮するだけでなく、移動本体の形状の結果として、本体の各領域に発生する流れの方向も考慮すべきであるので、表面（船体）に異なる配置の構造を形成することも関係があり、異なる種類の構造を組み合わせることができ有用でもある。本発明に記載の表面の自浄特性は、とにかく全ての表面に関わっている。しかし、多くの表面に自浄構造を設けて、特に安全に関して、より使い易く、作業を促進するなどの機能のために、できれば残留物がないように、接着粒子を素早く取り除くことができる。明らかに、摩擦低減特性は、とりわけ素早く移動させる、移動する、または周りを流れる領域および物体に対して、例えばエネルギを節約するために、さらに性能を向上させ、同様に必要であれば、光学的におよび装飾の面で有用で重要である。本発明に記載の表面は、例えば帆、柱、車輪などの全ての超構造および補完体にも適用できる。これは、とりわけ例えば、競技中に用いられる最適化された用途の器具や物体に対してなど、最大の性能が求められる目的や用途にも適用できる。しかし、本発明に記載のこれらの構造は、他の全ての表面に対しても有用である。自転車を基に一例を示す。この例によると、自転車の各部材の表面は、本発明に記載の表面構造の変形態様によって改善される。
【００６７】
従って、空気による摩擦抵抗に曝された自転車の各部品の表面は、必要であれば異なる組み合わせ、各構造を備えることができ、さらに自浄表面と組み合わせて、例えば一般的な機能や、摩擦低減構造の機能を損なう泥の付着や堆積を妨げる。しかし、例えば、利用者と接する器具の部品や、泥が付着したことにより機能が損なわれる部品など、自浄表面と非常に関連を持つ表面もある。この種の主な部材は、例えばサドルである。ここで、サドルは、本発明に記載の表面の構造の自浄構成を適切に使うことにより汚れにくく、例えば、自転車に乗る人が触れる領域（下側や縁など）での摩擦低減面の構成との適切な組み合わせの結果として、不要な乱流も発生しない。さらに、二つ以上の構造の組み合わせは、主に自浄する残りのサドル領域に別の機能を設けることができる。直立位置で乗るために特に重要な表面の適切な組み合わせによって、同様に上側の摩擦低減効果を実現できる。しかし、これらの面は、とりわけ汗をより良く蒸発できるといったより多くの効果を提供できる。汗は、各構造によって非常に容易に蒸発でき、所定の方向に同様に排出される。同等の用途は、ハンドルなどの領域や、物体の全ての面、および所望の物体の他の物質に適用できる。
【００６８】
同等の事実は、例えばスポーツ用具、道具、レジャー器具などの物体、および移動させる、それ自体が移動する、または移動物質に囲まれた物体の他の全ての表面に当てはまり、インライナ、アイススケート、そり、骨組み、ボブスレ、キックボード、サーフボード、ボート、カヤック、カヌー、帆船および発動機船、ウィンドサーフィン、パラシュート、ハンググライダ、スカイダイブ器具などがある。
【００６９】
実施例４
本発明に記載の表面の別の適用分野は、新しく改善された用途の可能性の他に、例えば医療分野など、衛生上の改善を目的とする分野の表面もある。これは、本発明に記載の適切な表面構造が、細菌や他の病原性物質の接着でさえ妨げるか、少なくともより困難にし、とりわけ洗浄を容易に素早くさせるので、泥の付着、特に汚染される可能性がある全ての表面で特に重要である。さらに、本発明に記載の表面は他の問題も解決でき、例えば、物質との摩擦の問題は過小評価すべきではない。摩擦低減特性は、特に流体物質に接触する可能性がある全ての面に対して有用であり、特に、周りを流れる各媒体について方向に作用する特性とこれらの特性を組み合わせることができるとき有用である。カテーテルに基づいて、対応する応用例を次に示す。一般に、カテーテルは管状の部材で、例えば体内に挿入する。医療分野では、任意の主に流動媒体を送るためにもよく用いられる。
【００７０】
本発明に記載の以降の表面の組み合わせは、ある物体の表面について特別な場合に適用され、下記の効果を生じる。比較的粘性のある製品は、カニューレ内で送ることが絶対的に可能であるが、カニューレの外側は主に、内生物質および液体と接する。物体の内側および外側の両方に、本発明に記載の表面を設けることができる。さらに、泥の付着や、異物、特に病原菌による汚染を防ぐか、もしくは少なくとも最低限度にすることを目的とする。従って、ここでは、自浄表面で摩擦低減表面を補完するか、または組み合わせることが重要である。このことにより、多くの効果が生じる。この物体は、物質をより容易に送ることができ、空にしやすく、汚れにくくする。さらに、これらの物体は、外側への物質の接着も防止、または低減できるので、体内に容易に挿入し、再び取り外せる。衛生上の特性も改善できる。さらに、例えば、流速の変動、内壁への新しい堆積、病原菌、拒絶反応などを問題にすることなく、流動媒体（血液）を継続的に送らなければならないというバイパス分野のカテーテルにおける特別な場合では、体内により長く入れておいても問題が発生しにくい。これらの全ての特性および機能は、適切な組み合わせで医療用物体の全ての表面に適用できる。もちろん、これらは、各用途に対して有用な他の任意の表面および特性によっても補完できる。
【００７１】
別の応用例では、例えば、脂肪吸引などに用いられる最小侵襲性用の外科用器具によって代表される。ここでも、本発明に記載の表面を使用して、特性を改善できる。摩擦低減表面は、内側および外側の領域の両方で効果を示す。吸い出される物質を、より素早く、容易に効率液に排出することができる。しかし、器具の外側の表面は、簡単に体内で組織に沿って出し入れし、とりわけ、患者に対してずっと穏やかな作用である。この分野では、自浄表面の衛生的形態も、もちろん非常に重要である。上記の医療的表面に加えて、本発明に記載の表面は、医療目的に用いら得る物体の他の面にも関係し、それはこの分類に含まれることはあまり明らかではない。この特別な応用例は、物体の全ての表面が、体（生物）によって吸収されるものに関する。この場合の顕著な例は、経口的に摂取される全ての物体、特に医療では、カプセル、錠剤、丸薬などである。ここでも、本発明に記載の表面により新しい可能性が生まれる。本発明に記載の表面の組み合わせで、例えば、カプセル、錠剤、丸薬、座薬などの全ての形態を構成できる。用途に応じて、最適な結果を得るために異なる組み合わせが必要とされる。
【００７２】
カプセルなどはほとんど、両側に半球形の端部を備えた円筒形を有し、飲み込み易くしている。さらに詳しく調べると、これらの物体は特に、流れを最適化した魚雷などと比較でき、どちらの場合も、各媒体内での移動を促進することを意図し、この移動では摩擦をできるだけ小さくする。魚雷の場合、媒体は間違いなく水であり、医療用カプセルの場合、特に食道内およびその壁では体液である。このことにより、医療用カプセルは飲み込み易い方が、極めて望ましい。これは、本発明に記載の表面を用いて、医療用カプセルに摩擦低減表面を形成し、表面をその用途の要件に合わせることで実現される。さらに、別の応用例は、所定の用途で、自浄特性（ここでは、例えば疎水性／親油性）に摩擦低減特性を補完的に組み合わせる。（例えば、疎水性表面によって、所定の期間、各含水媒体内のカプセルの溶解を遅らせるなど）
【００７３】
同様に、所定の部分、例えば二つの半円形の端部だけが自浄表面構造を備えるように構成が可能であり、例えば、疎水性により、粘膜の壁に付着しないで（カプセルの「数珠状の排出」）、カプセルを食道内の最適な位置に自動的に持っていき、つまり、例えば意図した移動方向に対して、横方向ではなく常に縦方向になるようにする。残りの円筒形の本体には、例えばリブ構造を設けて、食道内を容易に滑り落ちることを可能にする。
【００７４】
もちろん、これら全ての用途およびその結果得られる効果は、全ての表面に適用および用いることができる。任意の実施態様における本発明に記載の表面の適用は、媒体内で移動させる、移動する媒体内で移動させる、または媒体が周囲を流れる他の全ての物体に転移できる。さらに、本発明に記載の全ての表面は、移動する、または移動しない媒体上でも移動できる。さらに、本発明に記載の表面は、もちろん別の課題に対応できる。それらは、例えば、所定の他の効果において目的を実現でき、もちろん、それらは任意の物質からなり、他の全ての表面と組み合わせることも可能である。さらに、医学的に有効、または別の点で（用途や課題に応じて）有効な物質からなる各構造、または全ての構造の凸部も生成でき、カプセル内の薬に加えて、または薬を補完して、所定の課題に対応できる。従って、例えば、本発明に記載の表面は、全体としてまたはある程度、溶解する構造から構成できる。これらの構造は、例えばゲル、ムチン、または泡が発生することにより滑り易くするなど所定の課題に対応できるが、活性物質を放出することによって医学的／薬学的課題に対応できる。
【００７５】
実施例５
ある程度、移動可能な媒体および他の媒体と接触可能な全ての種類の容器および管も、適切な組み合わせることで本発明に記載の表面を持つ構造にすることができる。
【００７６】
本発明の物体の有用な物理的形態は、容器について次の特性を示す。典型的な容器は、物質を保持し、多くの場合はそれらを再び放出することを目的とするものが多い。本発明に記載のある種の表面構造を任意の容器に設ける場合、その容器は、容易に素早く充填、除去、洗浄可能で、一般に清潔に保つことができ、さらに例えば、より制御された方法で除去、充填を行える。ゴミを例にとると、例えば底部領域を主に自浄形態に構成できるが、内壁の部材には別に摩擦低減面を設けることができる。そして、上端領域（充填および放出領域）には再び自浄表面特性を設けることができ、外側には例えば、摩擦低減および可能な自浄表面の組み合わせを設けることもできる。この実施例は、多くの効果が得られる。自浄性の底部領域は、汚れや下面の物体の接着を防ぐことができる。容器は、完全に空にでき、特に水で容易に洗浄できる。さらに、とりわけカビ、病原性物質、その他の危険な物質などの汚染物質が、長期間物体の底部に接着し、そこでの増殖を防ぐ。摩擦低減表面を主に設けた変化領域は、内部の物質をできるだけ素早く完全に空にすることを目的とし、自浄性を持つ底部表面によって対応される。しかし、上部開口領域も汚れないようにすべきで、自浄表面特性を設けることができる。
【００７７】
このように、何も付着することなく、付着している物質は非常に容易に取り除くことができる。しかし、ゴミ箱は長期間外にあるのが普通で、泥、雪、氷など多くの異なる物質に曝されるので、物体の外側の領域も汚れないようにする必要がある。さらに、補完的に摩擦低減表面を設ければ有利であり、とりわけ、それは容器が風やスコールなどによって倒れにくくするという効果がある。別の応用例として、再利用する食品容器のように、できるだけ容器内に残留物が残らないように空にする全ての種類の容器がある。一例は、常に水ですすいで、カビや不快な臭いなどを防ぐ必要があるヨーグルトカップなどに代表される。本発明に記載の応用は、この場合にも効果がある。例えば充填や除去を行うことができる物体の別の種類の形態では、別の効果は、本発明に記載の例えば表面を各使用に適合させて、別の特性でそれらを補完することで実現される。本発明に記載の表面を適用することにより、例えばそれらを最適化でき、物体を空にする速度を増大させて、放出される物質内での乱流を低減できる。ポンプなど人工的機構を用いて、本発明に記載の表面の摩擦低減機能以上に空になる速度を増大できるが、もちろん、重力、圧力など、またはコリオリ力など自然の力を同様に用いることもできる。
【００７８】
コリオリ力を用いて、理想的には地面に対して垂直方向に行われる特に空にする過程では、コリオリ効果は、本発明に記載の表面によって、空になるのを促進するために用いられ、必要であれば、例えば放出される物質と容器の壁の間の摩擦力を増大させるために用いることもできる。これは、例えば、次のように実現される。摩擦低減表面は、方向に影響するように機能可能なので、例えば解放する物質を回転移動させるように、容器の内側に形成できる。この回転移動は、そこに発生するコリオリ力に加速効果を与え、二つの過程は互いに補完することができる。これによって、解放させる媒体の回転運動が速くなり、媒体全体をより速く空にするために利用できる。例えば溝およびリブ構造の形態での摩擦低減表面をここで用いて、ネジ形、螺旋構成の構造などによって、解放させる物質の移動方向に影響を与えることができる。流れや回転速度を加速する及び、減速することもできる。このように、摩擦を増大させて、さらに容器の壁に付着する可能性のある粒子を繰返し除去したり、生成される乱流を利用できる（例えばガスの混合）。
【００７９】
さらに、常に泥が付着しないように、物体の放出領域に自浄表面を設けることができる。
【００８０】
実施例６
一般的な管は、別の重要な適用範囲を代表し、特にこの応用として、縮小管を考える。縮小管の典型例は、全ての種類のノズル、バルブなどが代表である。ここでは、例えばノズルおよび隣接する表面上の縮小部、入口および出口の表面を改善することも目的となる。本発明に記載の表面の用途の例は、スプレー特性、ノズルを汚く粘着させる傾向、およびそれに関した表面についての改善に関する。基本的に、ノズルは直径が変わる流路である。これは流路に関するので、摩擦を低減する面は常に、フロー値を最適化するのに適切な手段である。さらに、粒子や液体を妨げる接着性は、放出領域およびノズルの最も狭い領域の両方でできるだけ防ぐべきである。これは、本発明に記載の表面構造を適用することで実現される。製品全体（ノズル）は、本発明に記載の表面構造の組み合わせを意図的に選択する場合のみ、その特性について最適化できる。本発明に記載の微細構造によって、ノズルの全ての形状および全ての隣接する領域を構造化して、できるだけ理想的な表面構造を設けることができる。
【００８１】
特別な応用例としては、流動媒体（例えば懸濁液）を管理するための噴霧器によって代表される。この物体は、例えば次の本発明に記載の表面を設けることができる。できるだけ摩擦のない流れを実現するために、ノズルの入口領域、および圧力容器の出口領域に摩擦低減面を設けることも、噴霧剤を噴霧するための内部空間全体に設けることもできる。それに加えて、物質が堆積する可能性があるノズルの直接的な出口領域、および内部空間の端部領域に、本発明に記載の表面を設けて、接着性の汚れや堆積物が生じないように、これらを容易に除去できるようにする。使用中、口の中に入れる外側に、本発明に記載の自浄表面構造を設けて、細菌、病原性物質および他の堆積物を容易に除去して、衛生上の特性を改善できるようにする。
【００８２】
実施例７
本発明に記載の表面の別の興味深い用途は、例えば機器や器具の形態で、汚れが付着し易い物体の分野で、以降の実施例の機器に、本発明に記載の表面を適用できるようにすることである。この例は、カミソリ、特に湿式カミソリに関し、これは通常、使用中に激しい汚れの付着が生じ、滑らかに滑る表面が望まれる。そこで、カミソリのヘッドの表面の少なくとも一部を例えば次のように形成できる。一つまたは複数の刃が肌を、ほぼ必要な距離できるだけ摩擦がなく滑るようにする。
【００８３】
これらの領域には、摩擦がないように滑らせるために、物質に対して比較的抵抗が少ない表面が適している。さらに、とりわけ、極端に汚れやすい複数の刃の間の空間、および汚れが付き易いカミソリの他の全ての面には、自浄表面の例として望ましい。本発明に記載の表面の適切な組み合わせおよび例によって、必要であれば刃自体の上部および下部に各構造を設けて、汚染物質を所望の方向に簡単にスライドさせて、水を流して（これらの汚染物質を）容易に取り除くことが可能になる。本発明に記載の表面のこれらの応用例はもちろん、任意の形態に変更でき、摩擦低減表面が、水、石鹸、泡などの髭剃りに通常用いられる媒体と組み合わせて、理想的な摩擦低減効果を実現するので、できるだけ滑らかで容易に髭剃りできるようにするという効果が生じる。同様に、本発明に記載の自浄表面の応用により、上記の媒体および別に発生する汚染物体（毛、皮膚の破片など）と組み合わせて機能し、（いずれにせよその過程に含まれる）水で全ての汚れを容易に落とすことが可能になる。特に刃の領域で、本発明に記載の各表面構造を用いることで、衛生上の特性も向上でき、刃に付着している細菌によって炎症がおこる傾向を低減できる。さらに、その構造は、例えば、殺菌、止血などに作用する特性を有することもできる。しかし、それに加えて、所望の物質の摩耗するように形成し、（物体がもはや十分に機能しないという）条件を示したり、補完機能を生じさせたり（溶解する凸部が、例えば潤滑膜や泡などや殺菌成分を生成する）、凸部の下のできるだけ利用可能な機能表面または構造を自由にし、機能化できる。別の応用例は、乾式カミソリ、歯ブラシ、マッサージ機器などの機器や器具である。
【００８４】
実施例８
宝飾領域でも、本発明に記載の表面は、多くの効果が生じる。例えば、その表面を組み合わせて、腕時計でいえば、時計をはめる人の肌に接触する全ての領域に摩擦低減表面を設けることができる。他の全ての領域、特に外側の目に見える領域には自浄表面を設けることができる。例えば腕時計の下部のリブ／溝構造は、肌への接触領域を比較的小さくして、とりわけ、時計をつける人が汗をかかないように、それにもかかわらず生じる汗は素早く蒸発できるようにする。そして、このために、時計の材料は手（肌の酸や脂など）で侵されにくく、長期間、元の外観を保持できるものである。さらに、アレルギ性反応も起こりにくくすることが可能である。
【００８５】
自浄表面も、一つの宝飾品がその元の外観を長期間維持し、良好な状況を容易に保ち、汚れにくくするのに寄与する。もちろん、本発明に記載の表面の組み合わせの例は、任意の可能な方法で変更できる。第二の応用範囲は、体の表面を貫通して固定されるボディジュエリに代表される。これは、全ての種類のピアスを含む。本発明に記載の表面の適用は、特に衛生上の効果や、上記の例で述べた効果によって、この範囲に非常によく適する。
【００８６】
実施例９
本発明に記載の表面は、特に、これらの物体が例えば屋外など異なる条件に曝される場合、汚れる物体の全ての表面にも望ましいものとなる。本発明に記載の表面は、ときどき屋外に備品を出す際に決定的な効果を発揮する。この応用例において、自浄表面の効果をさらに詳しく説明する必要はない。しかし、摩擦低減、流れの方向に影響する表面も、これに関しては非常に重要である。両方の物体の安定性は、異なる表面の適切な組み合わせ、および自浄表面に対する対応効果によって改善できる。自浄効果は、この構造を用いる際、自浄過程を対応する流体が、所定の方向に導かれ、非常に良好な洗浄効果を実現するので、摩擦低減表面によって引き起こされる方向影響効果により全ての本体で対応できる。
【００８７】
特に、可能な流れに対して高い抵抗を示すこれらの物体は、通常、上に傾けたり、破れにくくするので、摩擦低減表面によって、損傷に対してより保護できる（日傘、洗濯物ラック、装飾部材、植物用のタブなど）。
【００８８】
実施例１０
本発明に記載の構造は、全ての種類の表面に適用できる。応用例としては、人の生活、作業およびレジャー環境（例えば家具、台所、浴室など）に属する表面がいくつかある。これらおよび他の全ての領域で、自浄特性は常に非常に有利である。しかし、本発明に記載の表面の他の形態と適切に組み合わせることによって、別の効果も生じる。ここでは、本発明に記載の他の全ての表面と同様に、適切な方向性の構造と組み合わせて、摩擦低減および方向に影響する表面の両方を形成して、例えば自浄表面によく合う液体を導くこともできる。その上、機械的な影響に非常に敏感な非方向性の構造の適用は、機械的により安定な第二の大きな構造の存在によってのみ可能になり、例えば、より大きな構造に全体としてまたはある程度、より微細な構造を組み込むことで、適切な用途のより微細な表面を保護し、他の種類の用途では同様に、より大きな構造を微細な構造の上に突出させる。
【００８９】
図５ａ、５ｂを参照すると、方向性のある構造に非方向性の構造が組み込まれており、同様に図３ｃ、３ｆ、３ｈ、３ｊでは、方向性のある構造が、さらに方向性ある（より大きな寸法の）構造によって機械的影響から保護されている。図２ｈ〜２ｍでは、非方向性の構造が、他の非方向性の（より大きな寸法の）構造によって保護されている。それとは関係なく、本発明に記載の表面の全ての変形態様は、装飾や設計用途にも用いることができる。
【００９０】
実施例１１
本発明に記載の表面は、例えばサッカーシューズの場合、本発明に記載の方法により表面を組み合わせることで、泥の付着を防ぎ、着用中にできるだけ軽量になるようにするので、靴で用いることも適している。そして、さらに、摩擦低減表面は、空気抵抗がずっと少なくなるように足を移動できるという効果を提供し、例えばボールを蹴る際のシュート速度を高速化できる。
【００９１】
実施例１２
全ての成形工程／エンボス工程（例えば工具製作／熱成形／射出成形など）において、本発明に記載の表面は、母型（成形器具）上の全ての変形態様に形成して、本発明により形成した製品を提供し、その製品は本発明に記載の表面の全ての効果を持つことができる。さらに、本発明に記載の表面は、接着力を低減するので、成形工程後の最終製品の脱型および排出も容易にできる。
【００９２】
実施例１３
本発明に記載の表面は、媒体の移送に用いられる移送器具、または媒体を移送させる移送器具にも望ましい。とりわけ、流速の高速化は摩擦低減構造によって実現され、物体を介して流動媒体を移動させるためには圧力を低下させる必要がある。さらに、発泡流体（ビールなど）は、流れの種類（層流／乱流）に影響を与えて、その流体を発泡させにくくすることで、より高速に充填できる。その上、特に入口および出口領域に、自浄表面を組み合わせることで、より清潔で細菌が発生しないようにできる。
【００９３】
実施例１４
独立して利用可能な表面、または適用される表面の意味のフィルムも、全ての変形態様および組み合わせで本発明に記載の表面の応用に十分適したものである。その理由は、本発明に記載の表面の泥の付着の低減および摩擦低減効果は両方ともに、全ての用途で実際に有用であるからである。いずれの場合でも、本発明に記載の表面は効果が生じ、ときには全く新しい用途を可能にするので、包装や一般的な表面であるかどうかは問題ではない。この分野の別の応用例は、泥の付着や損傷に対して保護するために用いられる保護フィルムが代表である。例えば、物体を例えば移送や設置した後のみ、引き剥がせる物質などである。本発明に記載の表面に関して方向に影響する表面を適用することで、他の全ての効果に加えて、汚染または泥が付着している物体を所定の方向に導いて、保護すべき物体から離すことができる。これは、例えば、自浄および摩擦低減特性を有する表面を構造に設けて、例えば水で洗浄しようとする際や、自然の過程を利用して（重力、風、雨など）、汚染物質を取り除く。さらに重要な適用可能性は、カバー、フィルムや織物などである。
【００９４】
実施例１４ａ
別の適用可能性は、例えばサーフィンの帆の部材など、移動媒体に接触する布型またはフィルム型の表面が代表である。それらの課題は、流動媒体を利用して物体が移動することである。このために、上記の特性を備えた補完構造は、その特性がそれらによって最適化できるので、確実に有用な仕上げとなる。本発明に記載の表面構成を用いることで、空気の流れを表面により滑らかに導くことができるが、適切な構成または形態を用いて減速させることも、推進力を増大させることもできる。意外にも、本発明に記載の表面構造は、少なくとも一つの別のさらに重要な効果が生じる。とりわけ、本発明に記載の粗い表面構成は、特に凸部を設ける場合、滑らかな表面の接着特性を著しく低減するという効果がある。接着傾向は、構造の適切な寸法および空間構成を実現すること、および必要であれば他の表面特性でそれらを仕上げることで低減できる。そして、また、自浄可能性は、数珠状の液体によって対応され改善される。
【００９５】
とりわけ、これらの特性は、表面構造の間の空気の侵入が、水面への帆の接着を低減するので、問題の多い水面からの帆の形状の持ち上がりを容易にできる。そして、このように帆の再配置が非常に容易になる。従って、スポーツ器具全体の用途も改善できる。
【００９６】
図１４ｂ
別の可能な用途は、シャワーカーテンなどの流動媒体が沿って流れる全ての種類の表面である。ここでも、本発明に記載の表面を適用して、汚れ（白カビ、石灰など）の付着や、一般的な用途で効果をもたらすことができる。この発明を適用することにより、非常に微細に上昇した（必要であれば疎水性の）表面構造に対して、その表面に適合した水が非常に素早く数珠状に流れて、ほとんどの汚染粒子を取り除く。これは、他の微細構造（疎水性）と組み合わせることで可能であり、自浄のためにのみより粗い構造を有する、本発明により構造化した表面形成によって機械的損傷から保護される。さらに、本発明に記載の方向性を有する構造の実施および構成は、加えられる水を故意に意図的に導いて、水が全ての表面に最適に供給されるようにできる。
【００９７】
その上、しっかりと設置されたシャワー壁とは逆に、滑らかな他の表面、例えば極端に親水性でさらに自浄表面の接着特性の問題が常に生じる。それらは、シャワー器具の使用中に問題となる。この問題は、通常移動可能なシャワーカーテンが、水がシャワーから流れ出し、シャワーを浴びている人およびカーテンが濡れるとすぐに、シャワーを浴びている人に接近し、体に接着することである。この過程は、極めて面倒である。それは、シャワーを浴びている間に人を邪魔し、洗剤でシャワーカーテンを、シャワーカーテンに接着した不純物（白カビ、細菌、汚れなど）で人を汚染する。この過程は、流れるお湯、つまりシャワー内の空間と部屋の残りの部分との温度差によって、およびこの過程中に生じる熱気の上昇によって生じると思われる。さらに、静電気も、この過程に関わっている可能性がある。本発明に記載のと、数珠のように素早く流れ落ちる水、接着を最小にするために凸部の間に取り込まれた空気、実際に肌に接するシャワーカーテンの小さな表面、接着効果をなくした水の膜、および親水性をなくした表面によって著しく低減できる。そして、さらに、特に底部領域で、凸部がカーテン／カーテン、またはカーテン／シャワートレーの二つの表面の間の直接の接触を防ぎ、汚れの付着や細菌の発生を妨げ、湿った領域を避けられるので、接近や接着が避けられる。
【００９８】
実施例１４ｃ
この発明の別の構成は、オープンカーの屋根に用いられる。ここでも、本発明に記載の用途が、表面特性を最適化するための理想的な改善を代表する。この場合、この構造を用いて、流動媒体との摩擦抵抗を低減する。部材の特別な構成、形状および寸法によって、さらに、表面の安定性を改善し、空力学性を向上できる。建築部材の汚れ易さは、適切な構成、寸法および材料選択によって著しく低減できる。この特別な用途の変形態様は、ここでは、自動車の塗装領域では、研磨可能な表面は必ずしも必要とされないので、特にオープンカーの屋根に適している。特別な用途の変形態様では、本発明に記載の表面構造は、意図的に流れに影響を与え、抵抗を生成して、例えば、高速での屋根の上部に対する加速された空気の流れから生じる吸引を低減し、屋根の膨張を低減するように、空気の流れを導く。これに関して、他の表面構造を補完的に用いて、この効果を最適化できる。
【００９９】
実施例１５
加速させる本体（槍、ブーメラン、矢、発射体、ボールなど）、または流動媒体または移動物体内に見られる他の物体も、表面を備えた物体である。しかし、これに関して、特に流動媒体内の非常に高速の移動は、この用途で重要な役割を果たし、物体の汚れの付着を避けたり、最小限にしたりすることにも有効であるので、この製品グループは、本発明に記載の表面を設けることに非常に適している。本発明に記載の摩擦低減構造を適用することで、発射体の飛行特性に非常に好ましい影響を与え、正確に当たるようになる。発射体は、砲身によって発射される際、飛行を安定化する自転が加えられる。摩擦低減構造は、移動方向に対して縦方向、およびねじり状に用いられ、発射装置の螺旋形状と比べると移動方向に対して縦方向である。さらに、加速させる本体に適用する場合、この表面の摩擦低減、自浄および他の全ての効果は、それらを使い易くして、性能を向上させることもできるので、投射、加速または発射装置に必要とされる全ての表面に、本発明に記載の表面を設けることができる。これらの物体に適用されるこの発明の表面によって、風、横風、空気の熱的移動、スコール、雨などによって引き起こされるばらつきは、物体がそれらに対してあまり敏感に反応しなくなるので問題が少なくなる。
【０１００】
実施例１６
気流低減構造であって、ガスや空気の呼吸活動および交換を向上させることもできる。これらの適用可能性の簡単な応用例は、眼鏡に基づいて示すことができる。この場合、例えば、自転車に乗るなどのスポーツ活動中に用いる眼鏡を次のように作成させるために構造を形成できる。眼鏡の任意の部分だけでなく、気流、埃、移動中の空気の流れなどに対して保護するために比較的広く設計可能なフレーム全体は、表面を任意の材料から構成し、主に移動方向に配置可能なリブ／溝構造などの摩擦低減面を有するように形成できる。これは、周囲の媒体（特に、移動／雨などでの空気の流れ）に対して空気摩擦を低減できる。その上、眼鏡の任意の表面に自浄表面を設けることもできる。いずれにしても、これは、汚れの付着を低減できる。それに加えて、自浄表面は、他の重要な課題に対応できる。これらの自浄表面を、例えば節状の凸部の形態で形成する場合、それらは分離することも、例えば摩擦低減構造と直接組み合わせることもできる。可能な種類の形態は、節状表面構造が開口部を備えるように形成でき、眼鏡内の比較的静止した暖かく湿った空気と眼鏡の外側の空気の間の換気を可能にし、とりわけ、摩擦低減面が凸部の間にある種の静止したエアクッションを生成するので、汚れ、移動中の直接的な空気の流れ、他の刺激性物質または材料などに対して問題なく換気でき、移動中の空気の流れなどに関する問題は発生しないが、ガスや湿気の交換を効率的に行える（眼鏡の内面の曇りを防ぐ）。
【０１０１】
実施例１７
布地に関する分野では、例えば作業着やレジャー服などの衣服や他の装備部材は、興味ある応用範囲とみなされる。
【０１０２】
特にひどい汚れ、危険な泥および汚染が発生する用途で、不要な汚れである場合、もちろん自浄表面が非常に適している。これに加えて、摩擦低減表面は自浄表面を補完し、それを改善し適用範囲を非常に拡大できる。例えば作業やレジャーなど多くの用途では、周りを流れる媒体によってできるだけ影響されないようにすることが重要である。多くの領域では、これは非常に重要であり、安全性も改善する。多くの人々は、移動する強い流れ、特に水の流れ、空気の流れ、さらに突然に激しくなるスコール、および他の変化する流れなどの流動媒体に曝され、これはしばしば、それ自体の運動または他の運動と組み合わせて発生する。いくつかの例としては、オートバイ乗り用の服、スイミングおよびダイビングスーツ、足場の上で働く人や下水夫の服、一般に雨や風に対する防護服、例えばハンググライダのパイロット用などのレジャーウェア、冬季スポーツウェア、サーファ用のネオプレンスーツ、特に川での釣りなどの釣りに行くための衣服、および手袋、ヘルメット、ブーツなど全ての適切な装備部材がある。本発明に記載の表面の用途はもちろん、全ての衣服、布および装備部材に用いることができる。例えば、衣服の内側の摩擦、とりわけ体の表面との摩擦を低減し、皮膚の刺激を防ぐ。さらに、これらの表面構造で衣服と肌の間の空気や湿気の移動を改善できるだけでなく、美的およ設計目的でも同様に適している。
【０１０３】
実施例１８
別の応用範囲は、フィルタ、例えば紙フィルタが代表である。簡単なコーヒーの紙フィルタは、それらを使用するために必要なフィルタ保持器具と組み合わせて、ここでは特別な実施例として使用できる。ここで、本発明に記載の表面は、各形態で本発明に記載の表面を用いることで、いくつかの点で通常のフィルタ過程を最適化できるので、その点で非常に適している。通常、紙フィルタは、細孔を設けた透水性繊維材料からなる。沸騰中、挽きコーヒーは浮かび上がり、水溶性の風味を含む粒子が押し流される（最終的生成物であるコーヒー）。これらの紙フィルタは、とりわけ、沸騰した挽きコーヒーがフィルタの壁に堆積し、そこに留まることが欠点である。このことにより、ある程度完全には押し流されない浮遊物質（乾燥した挽きコーヒー）が上端の領域に留まり、挽きコーヒーが部分的に押し流されることになる。この挙動の理由は、物理的な事実（密度など）に基づき、フィルタのトポロジにも起因する。そこで、これらの問題は、本発明に記載の表面を用いて取り除くことができ、さらに他の良い特性もある。この点では、コーヒーの紙フィルタの可能な形態は、次のように形成できる。特に、紙フィルタの内側には、本発明に記載の表面の構造の組み合わせて設けて、挽きコーヒーの接着を低減／防止し、できるだけ摩擦がなく連続的にフィルタ方向にコーヒーが移動できるようにする。
【０１０４】
このように、挽きコーヒーはフィルタの底部に常に滑り落ちるので、完全に押し流すことができ、挽きコーヒーがフィルタの底部で孔を塞ぐ粘着性の塊を形成できないようにして、完成したコーヒーが排出しやすくする。さらに、完成したコーヒーは、本発明に記載の表面によって対応された所定の方法で排出可能な方向に導かれ、この発明により形成した紙フィルタ保持器具の表面と組み合わせて、最終製品の排出も所定の方法で影響される。この発明により、フィルタの外側領域およびフィルタ保持器具の内側を構造化することで、取り込んだ空気によって、フィルタ保持部材にフィルタが接着しないようにする。
【０１０５】
実施例１９
移動媒体の影響を受けやすいとき、認識可能な反応を示す物体の表面に、本発明に記載の表面を適用することが特に望ましい。実現される効果は、楽器、ここでは吹奏楽器に基づいて明確に示される。吹奏楽器の場合、人によって生成される空気の流れは、管状本体に導入され、多くは共鳴する本体構造と組み合わせて、最終的に認識可能な共鳴（音楽）を生成する。とりわけ、粒子（唾液）、湿気および細菌と混合された空気の流れが、物体の所定の領域に振動を生成し、開口部を介して排出される。
【０１０６】
本発明に記載の表面の望ましい実施形態を用いることで、例えば、空気の流れに加速または減速する効果を引き起こす形態によって、楽器の動作モードに影響を与えることができる。特にマウスピース領域、および呼吸の空気と混合される上記の粒子や物質を集め排出するために用いられる領域で、自浄表面と組み合わせることで、機能性、衛生および保守を改善できる。本発明に記載の表面は、このような物体の別の表面にも適用できる。ここでも、保守、機能性および光学的変化について効果を実現できる。
【０１０７】
実施例２０
本発明に記載の表面の別の応用例は、その表面が、とりわけ、特定の流動媒体内に存在し発展する媒体の制御および移送方向に影響を与えるために用いられるような物体が代表である。
【０１０８】
適切な応用例は、サンルームの表面で代表され、これは使用される方法に基づいた自浄表面によく適している。現在用いられている器具と比べて、これらの自浄表面を用いることで多くの効果が得られるが、明らかな効果は、別の表面特性との本発明に記載の組み合わせによってのみ生じる。これは、次のように実施される。
【０１０９】
本発明に記載の表面の応用の特別な構成では、支持領域は特に、物体の他の面の上に形成できる。主に透明な支持領域は、次のように本発明に記載の表面の適用構造として形成できる。本発明に記載の表面特性の望ましい組み合わせによって多くの効果が得られる。凹凸形態の適切な構造によって、堆積する流動媒体（汗）を体から意図的に排出し、そのために利用可能な所定の領域に放出できる。自浄表面と組み合わせることで、さらに、粒子、細菌および他の媒体が堆積した全ての表面を素早く容易に洗浄できる。他の全ての領域および表面だけでなく、特に細菌や他の不要な物質が堆積可能なものも同様である。例えば、流動特性に意図的に対応しまたは影響を与えることで、不要な物質の放出を加速またはそれに影響を与えることができる。本発明に記載の表面の適用と、自浄表面を対応する応用、機構などを何らかの方法で組み合わせることもできる。それに加えて、本発明に記載の表面は、例えば、透明な凸部を備えた透明な表面を用いることで、電磁波（例えば光の形態の電磁放射）をうまく導くために利用でき、所望の効果を生じる（例えば、各紫外線の均一な散乱による均一な日焼けなど）。
【０１１０】
この実施例の変形態様も、もちろん任意の用途に適用できる。
【０１１１】
実施例２１
プロペラ、ロータ、ファン、翼、船用翼、空気および海用のスクリュー、空気および海用のプロペラ、および空気および海用の羽根などの流れを生成し、または流れを移動やエネルギなど他の形態に変換するために用いられる器具の全ての表面も、本発明に記載の表面構成によって改善するのに適している。本発明に記載の表面を用いることで、周囲の媒体と移動する器具の摩擦を低減し、消費エネルギを減らし、得られるエネルギを増やし、さらに同時に、堆積や汚れに対して器具の表面を保護できる。
【０１１２】
実施例２２
打撃器具や部材の形態の全ての種類のスポーツ、レジャーおよび作業器具は、一つまたは複数の媒体内を移動し、打撃器具や部材などを加速させ、特にバットやクラブは、ボール、弾丸、パックなどの本体を移動／加速させる。ゴルフクラブは、本発明に記載の表面によって改善できる特別な例とみなされ、柄、シャフト、ヘッドなどの任意の表面は、周囲の媒体に対する摩擦を低減することで良好な特性を有する。このことは、例えば空気摩擦の低減によって打撃移動を高速化することを意味し、さらに打撃力の増大、運動自体の労力の低減、風に対する感度の低減、および正確な運動を可能にする。
【０１１３】
本発明に記載の表面によって、泥の付着を減らし、洗浄を容易にできる。主に力の影響に対して横向きに形成した適切な構造を適用することで、さらにグリップを安全にし、湿ったまたは濡れた条件（雨、高湿度の待機、水の不良、汗など）での湿気放出効果も実現できる。さらに、ボールが当たる領域での本発明に記載の表面構造によって、クラブヘッドを改善できる。
【０１１４】
実施例２３
スキーキャリア、スキーボックス、自転車キャリア、荷物キャリアなどの全ての種類の移動輸送部材および容器や、移動物質が周りを流れる部材や容器である。特に、スキーボックス等の輸送容器は、本発明に記載の表面によって著しく改善できる。この器具では、箱自体および各キャリアを多くの方法で改善できる。周囲の媒体（空気）を踏まえて構成した所望の摩擦低減表面の適用することで、例えば、箱の全表面（上および下側）を空気抵抗係数を改善できるように構造化すれば、その結果、燃料消費量を低減できる。例えば下側のみに同様の構造を形成することで、箱の下の空気の加速によってより高い下向きの力を生成し、運動の安定性を改善できる。しかし、別の例では、上側を運動方向に構造化し、全体またはある程度、下側を動き方向とは横向きに構成し、横風に対する特性を改善できる。
【０１１５】
このように、同じ方法で構成するが、異なる方向に形成した二つの表面構造は、同じ媒体のために構成した器具の二つの異なる表面に形成し、異なる課題を実現できる。さらに、器具の非方向の構造によって、自浄性を改善し、汚れが付着しにくくできる。しかし、この構造は、方向性のある構造のように、同じ媒体（空気）内のこの用途で機能するが、その主な課題は、第二の媒体（液体）によってのみ実現可能である。その上、本発明に記載の表面は、移動中の空気の流れによって生じる音を低減し、その器具を備えた乗り物の移動特性を改善する。これは特に、構造の保護に適切な材料を用いる場合に適応される。
【０１１６】
実施例２４
例えば、ゴルフ、バトミントン、バレーボール、ハンドボールなどのボールの全ての種類の移動または加速部材。
【０１１７】
実施例２５
全ての種類の舵、櫂、棒などで、本発明に記載の表面によって特性を改善したスキーのストックなど。
【０１１８】
本発明に記載の表面のいくつかの発展は、以降に説明する。
【０１１９】
この発明は、固定的にまたは移動可能なように形成できる構造を有する表面を説明する。全ての表面および構造は、適切な物質および物質の組み合わせが、各用途および周囲の媒体に合わせて、これらに対して最も適合するよう組み合わせられる。方向性を持つ構造の凹凸の形態は任意の構成し、特に、Ｖ字形、Ｕ字形、Ｌ字形および三角形に形成できる。さらに、本発明に記載の表面構成は、既存の構造または後から形成した構造と共に互いに形成できるよう適合される。全ての方向性のある構造は、鋭い端部および鋭くない端部、移動可能な部材またはある程度移動可能部材から構成できる。本発明に記載の構造の各部材は、所定の大きさの範囲内の任意の大きさであっても良い。それらは、凹凸の高さおよび幅について変更可能である。さらに、縦方向の凸部を鱗状に形成できる。これらの凸部は、硬い、移動可能、および変位可能で弾性的であっても良い。その上、方向性を持つ構造を波状に形成することも、波状またはＳ字状に（弾性的に）移動できるように構成することもできる。さらに、凸部は、非平衡に、互いに接近するように、互いに融合し、互いに発散し、縮小および消滅するように配置でき、さらに上昇または下降するような波状に構成できる。主に節状の凸部の形態の非方向に制御された構造も、全ての適切な物質から構成でき、全ての適切な製造方法で製造または形成できる。
【０１２０】
さらに、それらは、最も異なる形態で構成でき、任意の構造と組み合わせることもできる。両方の構造は、一つ、および混合されない組み合わせ構成で互いの上に配置された同じ表面で形成でき、組み合わせおよび両方の構造の形態の同じ表面に形成することもでき、例えば、縦方向の大きな構造の凸部を、非方向の制御された構造の小さな部材で、全体としてまたはある程度、被覆することもできる。さらに、方向性を持つ凸部の間、または凸部の横に、非方向の制御された構造を同様に組み合わせることもできる。本発明に記載の表面は、各基板に対するフィルム、織物、被膜およびラッカー膜の形態で形成することもできる。全ての表面は、任意の組み合わせの各媒体に最も適した構造的形状、大きさで構成できる。各または複数の構造の組み合わせを備えた上記の全ての表面は、同様の特性を有する他の物質、構造または部材で仕上げる、置き換える、組み合わせることができる。そうする場合、境界層の影響、例えば摩擦低減、および自浄特性、効果、構造などは、同様の特性を生じる任意の他の表面構造、物質、用途、手順、方法などで実現されまたは実現が可能になる。実施例は、疎水性物質および材料であるが、各流動媒体に適した極端に親水性の膜（液滴にならない膜）、および任意の境界層影響または自浄材料、構造などを備えた表面膜や、自浄性を対応する材料、構造などであっても良い。
【０１２１】
さらに、境界層に影響し、摩擦を低減する効果は、例えばガスまたは液体を数珠状に外に出すこと、および接着性物質およびある程度接着性のある物質（油、粘液性物質など）が、それらの特性によって境界層に影響する効果を有することができるようにすることで実現できる。
【０１２２】
この発明の詳細は、任意倍率の概略的実施例に基づいた図面の中で説明する。
【図面の簡単な説明】
【０１２３】
【図１】本発明に記載の表面の部材の可能な実施例の任意倍率の断面図を、主に方向性のある摩擦低減表面の形態で示している図である。リブ状の凸部はｈ、リブの間の台形の凹部の距離はｓ、規定領域とリブがなす角度はαで示されている。
【図２ａ】図２ａないし図２ｆは、本発明に記載の表面の別の部材の可能な実施例の任意倍率の平面図を、主に非方向性、節状、自浄表面構成の形態で示している。図２ａないし図２ｄは、異なる寸法の凸部を備えた比較的均一な表面を示しており、均一であるが非方向の分布を備えている。
【図２ｂ】同上
【図２ｃ】同上
【図２ｄ】同上
【図２ｅ】本発明に記載の表面の変形態様の構造上の平面図を示しており、少なくとも二つの異なる非方向型の凸部からなる。これは、二つの異なる物質から構成可能な実施例の一つにすぎず、同じ物質が理想的な（自浄）課題を実現するか、または異なる課題に対応できる。
【図２ｆ】本発明に記載の表面の変形態様の構造上の平面図を示しており、少なくとも二つの異なる非方向型の凸部からなる。ただし、これは、二つの異なる物質から構成可能な実施例の一つにすぎず、同じ物質が理想的な（自浄）課題を実現するか、または異なる課題に対応できる。しかし、この場合、より小さな凸部がどこにでもあるわけではなく、それらはより大きな凸部の間にのみ形成できる。
【図２ｇ】図２ｇないし図２ｍは、非方向性の主に自浄表面の変形態様を断面図で示しているが、凹凸からなるこの表面の変形態様のいくつかの異なる構成のみを代表している。図２ｇは、同じ大きさの節型凸部からなる表面の変形態様を任意倍率で示す図であり、凸部の間の距離は同じである。
【図２ｈ】高さが異なる二つの節型凸部からなる表面の変形態様を同様に任意倍率で示す図であり、間の距離は同じで凸部の構成が異なる。
【図２ｉ】図２ｉないし図２ｌは、少なくとも二つの異なる高さの節型凸部からなる別の表面の変形態様を任意倍率で示す図であり、間の距離は同じかまたは異なり、異なる形状と異なる構成の凸部を備えている。
【図２ｊ】同上
【図２ｋ】同上
【図２ｌ】同上
【図２ｍ】平面図２ｇと同様の任意倍率の表面の変形態様を示す図であり、少なくとも二つの異なる節型凸部からなり、間の距離は同じでも異なっていてもよく、異なる形状と異なる構成の凸部を備え、ここでは、より小さな凸部が少なくともある程度、より大きな凸部上に位置することができる。
【図３ａ】図３ａないし図３ｎは、全て、異なる実施形態の主に方向性の境界層影響表面構造の可能な実施例の断面図を示しており、全ての組み合わせで全ての物質および形状を用いることができる。それらは、主に縦方向のリブ／溝の微細構造の任意倍率の異なる実施形態を示している。図３ａは、三角形の凸部からなる台形構造を示す図であり、台形状の凹部は凸部の間の所定の距離から生じる。
【図３ｂ】同様の三角形の凸部構造を示す図であるが、間の凹部が三角形の構造だけを示すように互いに配置する。
【図３ｃ】三角形の凸部を示す図であるが、異なる大きさと構造を表面の異なる領域に配置している。このように、より小さな構造は、他のより大きなリブの微細構造の凹部の上側の微細構造であっても、凹部の上側のリブ構造が部材の表面のより粗い構造を構成することもできる。
【図３ｄ】図３ａ、３ｂに示したものと同様の縦方向の微細構造を示す図であるが、より微細で鋭い三角形の構造の形態である。
【図３ｅ】図３ｅないし図３ｈは、異なる構成の縦方向の三角形の微細構造を示す図であり、同じ種類の構造（三角形）がここでは示されているが、それらは最も小さいリブは各々の異なる傾斜角、およびリブの間の異なる距離、同じ傾斜角と同じ基本リブ形状を備えた構造の組み合わせであるが、各構造の間の距離と高さが異なる。
【図３ｆ】同上
【図３ｇ】同上
【図３ｈ】同上
【図３ｉ】図３ｉないし図３ｊは、同様の縦方向の微細構造を示す図であるが、最も小さい凸部については長方形の構造からなる。
【図３ｊ】同上
【図３ｋ】図３ｋないし図３ｍは、縦方向の微細構造を示す図である。それらの最も小さい凸部はここでは、丸い壁部材の形状で示されている。
【図３ｌ】同上
【図３ｍ】同上
【図３ｎ】異なる形態の縦方向の微細構造を示す図である。それらの最も小さい凸部はここでは、非常に細いリブの形状を有する。
【図４ａ】図４ａないし図４ｅは、例えば三角形のリブで構成した表面の斜視図である。図４ａは、基本的に図３ａと同様の平面を示す図である。
【図４ｂ】図４ａと同様の表面を示す図であるが、ここでは、リブ構造は連続的には形成されておらず、間に空間を備えているが、なお他方の後ろに一列に配置（配列）されている。
【図４ｃ】図４ｂと同様の表面を示す図であり、ここでは、異なる長さの凸部の形状で、表面上に異なる領域が形成されている。
【図４ｄ】図４ｃと同様の表面を示す図であるが、ここでは、別の領域がより微細な構造を有するように示されており、他の凸部と縦方向に位置合わせされているが、例えば単位面積当たり二倍の凸部を備えている（高さは同じであるが傾斜角が異なる、または高さは異なるが傾斜角は同じあるいは異なる）。
【図４ｅ】図４ｄと同様の表面を示す図であるが、ここでは、例えば凸部の列が残りの凸部とは位置合わせされないように、表面上に配置される。この例では、リブ高さが異なる、さらにリブ高さと溝の谷が異なるものを互いに後ろに従わせて、必要であれば所定の量の乱流を形成できる可能性が示されている。
【図５ａ】縦方向のリブ構造上の斜視図の一部であり、凸部の領域および溝の谷の両方に、自浄性と汚れの付着を妨げる節構造の変形態様を備えている。
【図５ｂ】縦方向のリブ構造の横断面図を示しており、凸部の領域と溝の谷の両方に、自浄性と汚れの付着を妨げる節構造の変形態様を備えている。しかし、この例では、節は、図５ａに対して、大きさおよび形状が異なる凸部からなる。
【図６ａ】本発明に記載の縦方向の構造の二つの異なる組み合わせを備えた表面の平面図を示している。この図では、二つのリブ構造は、リブの間の距離が異なるように示されており、さらに端部領域には滑らかな表面を有する。
【図６ｂ】表面の平面図を示している。この表面は、この発明の異なる三つの構造の組み合わせを備えている。それは、矢印の方向に移動させる表面を表す。右側は、リブおよび溝からなる移動方向に配置した縦方向の構造（１）を表している。その隣も、方向性のあるリブおよび溝からなる構造（２）であるが、上記の構造に対して斜め方向に配置されている。本発明に記載の第三の構造（３）は、縦方向のリブおよび溝構造の形態で構成され、図５ａ、５ｂと同様の小さな自浄性、非方向性凸部を備えている。
【図７】リブおよび溝構造の本発明に記載の表面の別の構成の平面図を表しており、上記の適用例に対して、平行には配置されておらず、互いに接近叉は発散するように構成されている。この図を補完して、方向性のある表面構造の任意の他の構造的な形状を、例えば完全に集束するリブ、および高さが減少または増大するリブなどのように形成できる。  次の図は、この用途の下で、本発明に記載の適用範囲、変形態様の可能性および改善の効果を提供するためだけなので、所定の倍率でもなく、所定の滑走部材を表すものでもない。図の微細構造は、本発明により構造化した全ての可能な表面の代わりとなっている。滑走部材、特に雪上滑走部材の図は、実際的な用途、および全ての物体、器具などとして示され、これに関連して用いることができる。
【図８ａ】滑走部材の滑走の足底の現在用いられている構造の断面の一例を表す図である。ここでは、１ｍｍの幅内の移動方向にほぼ三つの溝型の凹部がある。
【図８ｂ】スキーの表面上の本発明に記載の構造を備えた断面を表す図である。１−微細構造を備えた足底、２−微細構造を備えたスチールの端部、３−微細構造を備えた側壁、４−コア、５−上部のひも、６−底部のひも、７−微細構造を備えたシェル表面  ここでは、全ての表面が、各要件に各々適合させた構造を構成できることを考慮しなければならない。方向性、非方向性および組み合わせた構造を適用することもできる。
【図９】断面を表す図であり、（１）は足底、（２）はスチールの端部、（４）は比較的粗い現在用いられている縦方向の構造、（３）は三角形の凸部および台形の凹部を備えた同様に縦方向の微細構造の構成を示している。
【図１０ａ】滑走部材の方面の平面図を示しており、二つのスチールの端部を備えたスキーの足底の例に基づいている。これは、外側の（構造化されていない）スキー端部を備えた標準的な縦方向の微細構造に関する。
【図１０ｂ】中央のスキーの足底領域（４）内の手多方向の微細構造を示す図であり、微細構造はスキーの足底の外側（３）、スキーと端部の内側の領域（２）にも適用できるが、移動方向に配置されたものの隣で、後ろ向きに傾斜した形態で、スキーの端部（１）の外側の地面の下に余分な水を排出できる。
【図１１】１０ｂに示したスキーの裏の領域の断面図を示している。この例では、スキーの両端がスキーの足底の一部と同様に示されている。（１）は、部分的に接地するスキーの端部の最も外側の部分を示している。（２）は、さらに内側に配置したスキーの端部の一部を表し、ここでは、移動方向に走る構造（６）と、外側の後方に傾斜した移動方向とは斜めに走る第二の構造（５）の二つの構造に組み合わせを示している。外側に配置したスキーの滑走表面の領域（３）も同様の構造を示している。一方、スキーの足底の中央にある中央領域は、移動方向に走る構造（６）のみを有する。  この種の構造によって、スキーの下の水の膜の余分な水の部分は、スチールの端部の下から外側に容易に排出できる。
【図１２ａ】図１２ａないし図１２ｃは、スキーの足底の平面図を示している。図１２ａは、足底全体に同じ構造を有する溝／リブ形状の縦方向の微細構造を示している。
【図１２ｂ】同じ種類の構造であるが、異なる配置の二つの可能な領域を表している。中央領域、つまりスキーの足底の中心では、縦方向の微細構造が見られ、端部領域、および通常スキーを上向きに湾曲させるスキーの足底の先端と末端では、足底は、移動方向に対して傾斜／斜め方向に配置した溝構造を有し、その構造は端部領域に向かって後方斜めに両側に走っている。
【図１２ｃ】原理的な設計については図１２ｂと同様であるが、ここでは、微細構造の縦方向の中心領域がいくぶん異なる外形を示している。
【図１３ａ】再び、滑走部材の断面図を示している。ここでは、縦方向の微細構造を備えたスキー端部および足底が示されている。この図では、スキーの足底の微細構造表面の凸部（リブ）が、スキーのスチールの端部と同一レベルになる。
【図１３ｂ】構造化された領域の凸部が端部では平らではないが、例えば、残りの表面より上の高さに突出するように形成された別の可能性を示しており、これらの高さの一部まで突出させることもできる。別の違いとして、ここでは、スチールのエッチの一部に、縦方向の微細構造を備えている（構造化されていない端部を備えた図１０ａ、構造を有するがほとんど平らな図１１と比較して）。例えば、上昇させた変形態様（図１３ｂ）について、この構造の凸部はスキー表面から最小限だけ突出しており（ただしわずか約０．０２５ｍｍ）つまり約１／４０ｍｍで、各凸部の間のおよその距離が約０．０５ｍｍであるとしている。幅が約１０ｃｍの足底の凸部のかずは、スキー一つで約２０００個のリブとなり、比較的微細な構造で１ｍｍ当たり２０個の凸部となる。この数の多さによって、非常に安定な面が実現される。さらに、スキーの足底の安定性と捻れにくさは、表面の折り返し設計によって増大される（台形のシートや波形の段ボールと同様）。
【図１】
2005537034.tif 000003
【図２ａ】
2005537034.tif 000004
【図２ｂ】
2005537034.tif 000005
【図２ｃ】
2005537034.tif 000006
【図２ｄ】
2005537034.tif 000007
【図２ｅ】
2005537034.tif 000008
【図２ｆ】
2005537034.tif 000009
【図２ｇ】
2005537034.tif 000010
【図２ｈ】
2005537034.tif 000011
【図２ｉ】
2005537034.tif 000012
【図２ｊ】
2005537034.tif 000013
【図２ｋ】
2005537034.tif 000014
【図２ｌ】
2005537034.tif 000015
【図２ｍ】
2005537034.tif 000016
【図３ａ】
2005537034.tif 000017
【図３ｂ】
2005537034.tif 000018
【図３ｃ】
2005537034.tif 000019
【図３ｄ】
2005537034.tif 000020
【図３ｅ】
2005537034.tif 000021
【図３ｆ】
2005537034.tif 000022
【図３ｇ】
2005537034.tif 000023
【図３ｈ】
2005537034.tif 000024
【図３ｉ】
2005537034.tif 000025
【図３ｊ】
2005537034.tif 000026
【図３ｋ】
2005537034.tif 000027
【図３ｌ】
2005537034.tif 000028
【図３ｍ】
2005537034.tif 000029
【図３ｎ】
2005537034.tif 000030
【図４ａ】
2005537034.tif 000031
【図４ｂ】
2005537034.tif 000032
【図４ｃ】
2005537034.tif 000033
【図４ｄ】
2005537034.tif 000034
【図４ｅ】
2005537034.tif 000035
【図５ａ】
2005537034.tif 000036
【図５ｂ】
2005537034.tif 000037
【図６ａ】
2005537034.tif 000038
【図６ｂ】
2005537034.tif 000039
【図７】
2005537034.tif 000040
【図８ａ】
2005537034.tif 000041
【図８ｂ】
2005537034.tif 000042
【図９】
2005537034.tif 000043
【図１０ａ】
2005537034.tif 000044
【図１０ｂ】
2005537034.tif 000045
【図１１】
2005537034.tif 000046
【図１２ａ】
2005537034.tif 000047
【図１２ｂ】
2005537034.tif 000048
【図１２ｃ】
2005537034.tif 000049
【図１３ａ】
2005537034.tif 000050
【図１３ｂ】
2005537034.tif 000051
【手続補正書】
【提出日】平成16年2月27日(2004.2.27)
【手続補正１】
【補正対象書類名】明細書
【補正対象項目名】００２２
【補正方法】変更
【補正の内容】
【００２２】
流動媒体では、流速は、境界領域、つまり他のもの、例えば固体に接する流動媒体内の領域領域が、異なる材料間の粘着によって摩擦を引き起こす領域であり、ここでは、流体は例えば管内よりかなり低速で流れ、管内は流体の分子のみが存在し、分子間摩擦力はかなり低く、その結果、最も速い流速が実現される。
【手続補正２】
【補正対象書類名】明細書
【補正対象項目名】００３５
【補正方法】変更
【補正の内容】
【００３５】
プラズマ技術は、本発明に記載のこのような微細および超微細構造の経済的製造にも用いられる。プラズマ技術によって、微細／超微細構造の薄いセラミック構造に例えば金属プラグを取り付けて、エンボス加工でき、例えば、この微細／超微細構造のプラスチック（ＰＭＭＡなど）のように材料をセラミック構造でエンボス加工できる。セラミック層の構造形成は、自己組織化するように発生するが、プラズマ処理は、各用途に好ましい自己組織化を発生させて、各構造を実現する。例えば、プラズマ処理によって、本発明により構造化したローラを製造できる。これらのローラは例えば金属から構成でき、物体の所定の表面に対する微細／超微細構造、さらにこれらの物体を使用するために必要な全ての部材、およびエンボス可能な材料からなる別の使用部材の全ての他の表面に対する微細／超微細構造を加熱エンボス加工できる。
【手続補正３】
【補正対象書類名】明細書
【補正対象項目名】００６７
【補正方法】変更
【補正の内容】
【００６７】
従って、空気による摩擦抵抗に曝された自転車の各部品の表面は、必要であれば異なる組み合わせ、各構造を備えることができ、さらに自浄表面と組み合わせて、例えば一般的な機能や、摩擦低減構造の機能を損なう泥の付着や堆積を妨げる。しかし、例えば、利用者と接する器具の部品や、泥が付着したことにより機能が損なわれる部品など、自浄表面と非常に関連を持つ構造もある。この種の主な部材は、例えばサドルである。ここで、サドルは、本発明に記載の表面の構造の自浄構成を適切に使うことにより汚れにくく、例えば、自転車に乗る人が触れる領域（下側や縁など）での摩擦低減面の構成との適切な組み合わせの結果として、不要な乱流も発生しない。さらに、二つ以上の構造の組み合わせは、主に自浄する残りのサドル領域に別の機能を設けることができる。直立位置で乗るために特に重要な表面の適切な組み合わせによって、同様に上側の摩擦低減効果を実現できる。しかし、これらの面は、とりわけ汗をより良く蒸発できるといったより多くの効果を提供できる。汗は、各構造によって非常に容易に蒸発でき、所定の方向に同様に排出される。同等の用途は、ハンドルなどの領域や、物体の全ての面、および所望の物体の他の物質に適用できる。
【手続補正４】
【補正対象書類名】明細書
【補正対象項目名】００７６
【補正方法】変更
【補正の内容】
【００７６】
本発明の物体の有用な物理的形態は、容器について次の特性を示す。典型的な容器は、物質を保持し、多くの場合はそれらを再び放出することを目的とするものが多い。本発明に記載のある種の表面構造を任意の容器に設ける場合、その容器は、容易に素早く充填、除去、洗浄可能で、一般に清潔に保つことができ、さらに例えば、より制御された方法で除去、充填を行える。ゴミを例にとると、例えば底部領域を主に自浄形態に構成できるが、内壁の部材には別に摩擦低減面を設けることができる。そして、上端領域（充填および放出領域）には再び自浄表面特性を設けることができ、外側には例えば、摩擦低減および可能な自浄表面の組み合わせを設けることもできる。この実施例は、多くの効果が得られる。自浄性の底部領域は、汚れや下面の物体の接着を防ぐことができる。容器は、完全に空にでき、特に水で容易に洗浄できる。さらに、とりわけカビ、病原性物質、その他の危険な物質などの汚染物質が、長期間物体の底部に接着し、そこでの増殖を防ぐ。摩擦低減表面を主に設けた壁領域は、内部の物質をできるだけ素早く完全に空にすることを目的とし、自浄性を持つ底部表面によって対応される。しかし、上部開口領域も汚れないようにすべきで、自浄表面特性を設けることができる。
【国際調査報告】
2005537034.tif 000052
2005537034.tif 000053
2005537034.tif 000054
2005537034.tif 000055
2005537034.tif 000056
2005537034.tif 000057